(57)【要約】【課題】ユーザに対する通知機能を向上し、使い勝手を向上できるカレンダーに関する電子機器及び情報処理方法及びプログラム及び情報記録媒体を提供する。【解決手段】一実施形態の基本によれば、カレンダーに関連付けるための付加情報を取得する情報取得部と、前記付加情報をカレンダーに関連付けた情報カレンダーを生成する処理部と、前記情報カレンダーを表示するために前記情報カレンダーを出力する出力部と、前記情報カレンダーの前記付加情報に基づいた動作を指令する動作指令部と、を有する。【選択図】図２５
2014053796.tif 000002
【特許請求の範囲】
【請求項１】
第１カレンダーに関連付けられる第１付加情報を記憶する記憶部と、
他の電子機器から、第２カレンダーに関連付けられる第２付加情報を取得可能な情報取得部と、
前記第１付加情報と前記第２付加情報とを、前記第１カレンダーに関連付けて出力する出力部と、
前記第１カレンダーの前記第２付加情報に対するユーザの操作に基づいた処理を実行する制御部と
を有する電子機器。
【請求項２】
前記第２付加情報は、イベントに関する情報であり、前記制御部は、前記イベントが指定された場合、前記イベントに関する詳細情報を表示するために出力させる請求項１記載の電子機器。
【請求項３】
前記第２付加情報は、録画予約情報又は視聴予約情報の何れかであり、前記制御部は、前記録画予約情報に基づき録画指令を出力し、又は前記視聴予約情報に基づき視聴指令を出力する請求項１記載の電子機器。
【請求項４】
前記情報取得部は、前記第１カレンダーとはアカウントが異なる前記第２カレンダーから前記第２付加情報を取得する請求項１記載の電子機器。
【請求項５】
前記情報取得部は、前記第２カレンダーの前記第２付加情報を、前記情報取得部を含む自装置から取得する請求項４記載の電子機器。
【請求項６】
前記情報取得部は、前記第２カレンダーの前記第２付加情報をＬＡＮで接続される他の装置から取得する請求項４記載の電子機器。
【請求項７】
前記情報取得部は、前記第２カレンダーの前記第２付加情報を外部のサーバから取得する請求項４記載の電子機器。
【請求項８】
前記出力部は、前記第１カレンダーを月単位で表示するように出力し、前記月単位で前記第１カレンダーが表示された状態で、「日」のブロックには、この「日」の前記第２付加情報のアイコンを表示させる請求項１記載の電子機器。
【請求項９】
前記出力部は、前記第１カレンダーの「日」のブロックのイベントアイテムのリストを表示させる請求項８記載の電子機器。
【請求項１０】
前記イベントアイテムが複数であり、イベントの「日」が異なるものを含む場合、前記出力部は、「日」を示す日付セパレータで区分して表示させる請求項９記載の電子機器。
【請求項１１】
前記出力部は、月単位の前記第１カレンダーの特定の日が指定された状態で、操作入力があると、前記特定の日のイベントリストとの表示に切換える請求項１記載の電子機器。
【請求項１２】
第１カレンダーに関連付けられる第１付加情報を記憶し、
他の電子機器から、第２カレンダーに関連付けられる第２付加情報を取得し、
前記第１付加情報と前記第２付加情報とを、前記第１カレンダーに関連付けて出力し、
前記第１カレンダーの前記第２付加情報に対するユーザの操作に基づいた処理を実行する
カレンダー情報処理方法。
【請求項１３】
コンピュータを制御するプログラムであって、
第１カレンダーに関連付けられる第１付加情報を記憶させるコマンドと、
他の電子機器から、第２カレンダーに関連付けられる第２付加情報を取得するコマンドと、
前記第１付加情報と前記第２付加情報とを、前記第１カレンダーに関連付けて出力するコマンドと、
前記第１カレンダーの前記第２付加情報に対するユーザの操作に基づいた処理を実行させるコマンドと、を含む
カレンダー情報処理プログラム。
【請求項１４】
コンピュータを制御するプログラムを格納した情報記録媒体であって、
前記プログラムは、
第１カレンダーに関連付けられる第１付加情報を記憶させるコマンドと、
他の電子機器から、第２カレンダーに関連付けられる第２付加情報を取得するコマンドと、
前記第１付加情報と前記第２付加情報とを、前記第１カレンダーに関連付けて出力するコマンドと、
前記第１カレンダーの前記第２付加情報に対するユーザの操作に基づいた処理を実行させるコマンドと、を含む
情報記録媒体。
【発明の詳細な説明】
【技術分野】
【０００１】
本発明の実施形態は、電子機器及びカレンダー情報処理方法及びプログラム及び情報記録媒体に関する。
【背景技術】
【０００２】
近年、インターネットサービス事業が活発である。インターネットサービス事業では、インターネット上のサーバとパーソナルコンピュータ及び又は携帯端末（セルホーン、タブレット、パーソナルアシスタントデバイス（ＰＤＡ）など）との通信環境の中で、情報交換が行われる。
【先行技術文献】
【特許文献】
【０００３】
【特許文献１】特開２０１０−９３９６１号公報
【発明の概要】
【発明が解決しようとする課題】
【０００４】
ところで、家庭で使用されるデジタルテレビジョン装置（以下ＴＶ装置と称する）は、他のディスプレイ可能な装置（例えば、パーソナルコンピュータ、セルホーン、タブレットなど）に比べてモニタ画面が大きく、鮮明であるという有利な点を備える。また家庭内ＴＶ装置は、オーディオに関しても高級なオーディオシステムを装備できるという有利な点を備える。また最近のＴＶ装置は、インターネット接続が可能であり、インターネット接続し、その活用が望まれている。しかし現在はその活用が不十分であるとの見解もある。一方、小型のパーソナルコンピュータ、セルホーン、タブレットなどは、携帯性を有するという利点を備える。
【０００５】
またＴＶ装置は、大量の番組を記録することができる。このように情報量が膨大な中でＴＶ装置は、情報処理・整理のための種々の活用方法が期待できる。
【０００６】
そこで、本発明の一実施態様では、ユーザに対する通知機能を向上し、使い勝手を向上できる電子機器及びカレンダー情報処理方法及びプログラム及び情報記録媒体を提供することを目的とする。
【課題を解決するための手段】
【０００７】
一実施形態の基本によれば、第１カレンダーに関連付けられる第１付加情報を記憶する記憶部と、他の電子機器から、第２カレンダーに関連付けられる第２付加情報を取得可能な情報取得部と、前記第１付加情報と前記第２付加情報とを、前記第１カレンダーに関連付けて出力する出力部と、前記第１カレンダーの前記第２付加情報に対するユーザの操作に基づいた処理を実行する制御部とを有する。
【０００８】
を有する。
【図面の簡単な説明】
【０００９】
【図１】一実施形態によりテレビジョン装置の表示部の画面に表示されたメニュー画面の一例を示す図である。
【図２】一実施形態によりテレビジョン装置の表示部の画面に表示されたメニュー画面の他の一例を示す図である。
【図３】一実施形態によりテレビジョン装置の表示部の画面に表示されたメニュー画面のまた他の一例を示す図である。
【図４】一実施形態によりテレビジョン装置の表示部の画面に表示されたメニュー画面のさらにまた他の一例を示す図である。
【図５】一実施形態による電子機器がデジタルテレビジョン受信機に組み込まれた状態の一例を示す図である。
【図６】図５のクラウドアプリケーション部２３１の特徴的な一構成例を取り出して示すブロック図である。
【図７】一実施形態においてシーン情報機能が利用される際のＴＶ装置３００とタイムクラウドサービスサーバ４１１との関係を示す図である。
【図８】一実施形態においてシーンリスト機能が利用される際のＴＶ装置３００とタイムクラウドサービスサーバ４１１との関係を示す図である。
【図９】一実施形態においてシーンプレイ機能が利用される際のＴＶ装置３００とタイムクラウドサービスサーバ４１１との関係を示す図である。
【図１０】一実施形態においてタイムクラウドサービスサーバ４１１に含まれるサーバの一例を示す図である。
【図１１】一実施形態において図９のメタデータサーバ内の構成要素の例を示す図である。
【図１２】一実施形態による電子機器とＤＴＶ各種機能モジュールの構成例を示す図である。
【図１３Ａ】一実施形態のＴＶ装置において、月単位によるカレンダーが表示された例を示す図である。
【図１３Ｂ】一実施形態のＴＶ装置において、カレンダーの付加情報であるイベントのリストが表示された例を示す図である。
【図１３Ｃ】一実施形態のＴＶ装置において、図１３Ｂのイベントがさらに詳細に表示された例を示す図である。
【図１４Ａ】一実施形態のＴＶ装置において、ボブがログインしタイムクラウドサービスのホームが表示された例を示す図である。
【図１４Ｂ】一実施形態のＴＶ装置において、カレンダーの月単位が表示された例を示す図である。
【図１４Ｃ】一実施形態のＴＶ装置において、イベントのリストが表示された例を示す図である。
【図１４Ｄ】一実施形態のＴＶ装置において、録画予約の詳細が表示された例を示す図である。
【図１５Ａ】一実施形態のＴＶ装置において、イベントのリストがスクロールされた例を示す図である。
【図１５Ｂ】一実施形態のＴＶ装置において、イベントのリストがスクロールされた他の例を示す図である。
【図１５Ｃ】一実施形態のＴＶ装置において、イベントのリストがスクロールされたさらに他の例を示す図である。
【図１５Ｄ】一実施形態のＴＶ装置において、イベントのリストがスクロールされたさらに他の例を示す図である。
【図１５Ｅ】一実施形態のＴＶ装置において、イベントのリストがスクロールされたさらに他の例を示す図である。
【図１５Ｆ】一実施形態のＴＶ装置において、イベントのリストがスクロールされたさらに他の例を示す図である。
【図１６Ａ】一実施形態のＴＶ装置において、月単位のカレンダーから何も予定の無い日が選択された場合のリスト表示例を示す図である。
【図１６Ｂ】一実施形態のＴＶ装置において、図１６Ａの画像から戻った場合の表示画像の例を示す図である。
【図１７Ａ】一実施形態のＴＶ装置において、月単位のカレンダーが遷移する画像の例を示す図である。
【図１７Ｂ】一実施形態のＴＶ装置において、月単位のカレンダーが遷移する画像の例を示す図である。
【図１８Ａ】一実施形態のＴＶ装置において、月単位のカレンダーが遷移する画像の例を示す図である。
【図１８Ｂ】一実施形態のＴＶ装置において、月単位のカレンダーが遷移する画像の例を示す図である。
【図１９Ａ】一実施形態のＴＶ装置において、月単位のカレンダーが遷移する画像の例を示す図である。
【図１９Ｂ】一実施形態のＴＶ装置において、月単位のカレンダーが遷移する画像の例を示す図である。
【図２０Ａ】一実施形態のＴＶ装置において、カレンダーに表示されるアイコンの例を示す図である。
【図２０Ｂ】一実施形態のＴＶ装置において、カレンダーに表示されるアイコンの例を示す図である。
【図２１】一実施形態のＴＶ装置において、他の人の録画予約情報を、ユーザ自身のカレンダーに取り込む際の画像の例を示す図である。
【図２２】一実施形態のＴＶ装置において、他の人の録画予約情報を、ユーザ自身のカレンダーに取り込む際の他の画像の例を示す図である。
【図２３】一実施形態のＴＶ装置において、視聴予約を、取り消す際の画像の例を示す図である。
【図２４】一実施形態のＴＶ装置において、視聴予約又は録画予約を、ユーザ自身のカレンダーに取り込む際の画像の例を示す図である。
【図２５】一実施形態のＴＶ装置において、カレンダーの情報処理ブロックを取り出して示す図である。
【図２６】一実施形態のＴＶ装置において、イベントのフィルタリング機能を実行させる際の画像の例を示す図である。
【図２７】一実施形態のＴＶ装置において、シンクロビューイングのために友人を誘うための設定画像の例を示す図である。
【図２８】一実施形態のＴＶ装置において、シンクロビューイングのために友人を誘うための設定画像の例を示す図である。
【図２９】一実施形態のシステムにおいて、タブレットにおける画面で表示された月単位のカレンダー画像の例を示す図である。
【図３０】一実施形態のシステムにおいて、タブレットにおける画面で表示された週単位のカレンダー画像の例を示す図である。
【図３１】一実施形態のシステムにおいて、タブレットにおける画面で表示された日単位のカレンダー画像の例を示す図である。
【図３２】一実施形態のシステムにおいて、カレンダーの付加情報であるイベントの詳細が表示された他の例を示す図である。
【発明を実施するための形態】
【００１０】
以下、実施の形態について図面を参照して説明する。本発明に係るカレンダーに関する電子機器は、スタンドアローンで構成されても良いし、或いはセットトップボックスに内蔵、或いはＴＶ装置、レコーダ、携帯端末等に内蔵されてもよい。一例として、実施形態の電子機器及び情報処理方法がＴＶ装置に適用された場合を説明する。
【００１１】
一実施形態による電子機器は、コンテンツ視聴中に、クラウドサービスを起動する指示があった場合に、視聴コンテンツと共に、このコンテンツに関連するサービスメニューを一覧表示させる手段と、表示ステートに応じて、関連するサービスメニューを切り替え表示する手段を有する。
【００１２】
また他の実施形態によれば、電子機器は、ネットワークに接続可能な統括コントローラ、ビュー制御部を含む。ビュー制御部は、前記統括コントローラが前記ネットワークへの非通信状態において、前記統括コントローラが前記ネットワークへ通信状態となった場合に得られるであろうメニュー画像をデモンストレーションすることができる。
【００１３】
前記統括コントローラは、ログインデータ管理部、コミュニケーションデータ管理部、を含む。前記ログイン管理部は、複数人の共通ログイン識別子、個人の専用ログイン識別子を管理し、前記コミュニケーションデータ管理部は前記共通ログイン識別子に対応したコミュニケーションデータ、前記専用ログイン識別子に対応したコミュニケーションデータを区別して表示出力の選別を行う。
【００１４】
前記コミュニケーションデータ管理部は、前記共通ログイン識別子がログイン状態にあるときは、前記専用ログイン識別子に対応したコミュニケーションデータを非公開制御する。
【００１５】
前記サーバは、多数の電子機器（クライアント）のログイン状態とログアウト状態をテーブルで管理してもよい。また前記ログイン管理部は、現在ログイン状態にあるログイン識別子を定期的に前記サーバへ送信してもよい。これにより前記サーバは、多数の電子機器（クライアント）のログイン状態をより正確に把握することができる。
【００１６】
図１と図２にはデモンストレーション状態のメニュー画像の一例を示している。画面１００の左側の表示領域１０１には、放送されている番組の映像、或いは記録装置から再生されている番組の映像を表示する。画面１００の右側の表示領域１０２には、複数の小サイズのガイド画像が１個、２個、３個・・・と増加して表示される。表示領域１０２のガイド画像が、例えば６個のガイド画像（図１）になった後は、表示領域１０２には、図２に示すように、例えば「ネット接続すると、テレビ番組のシーン頭だしサービス、ショッピングサービス、友人とのメッセージ交換などができます」というメッセージが表示される。また、中央の表示領域１０３には、カレンダーが表示され、当日の各種イベントの情報の要約が表示される（図１）。そして一定時間経過毎に、中央の表示領域１０３には、図２に示すように「ネット接続すると、カレンダーや番組予約と連動したスケジュールが表示できます」と言うメッセージが表示される。
【００１７】
図３には、電子機器が、ネット接続され、ファミリーＩＤによりログインしたときの画面１００の表示状態を示している。表示領域１０２には、家族や友達からの通知、及びレコメンドデータを受け取るための、各種送受信箱用のガイド画像が表示される。送受信箱としては、アウトルック、メール、メッセージ、レコメンドデータ用などがある。各送受信箱を表す画面枠に対しては、固有名を付加することが可能であり、また画像ファイルの中から好きな画像を選択してガイド画像として付加することも可能である。メッセージやレコメンドデータが、送受信箱に到着している場合、対応するガイド画像には、例えば丸印が付加されるか、フレーム枠の色が変化、或いはフレーム枠の輝度が繰り返し変化するなどして表示される。複数のレコメンドデータが送受信箱に到着している場合、複数の丸印が対応するガイド画像に付加されて表示されてもよい。或いは複数のレコメンドデータの受信数を示す数字が表示されてもよい。
【００１８】
上記の送受信箱（図３の表示領域１０２の状態）は、例えば家族間の通信、家族の構成員と友達との間の通信などに利用可能である。友人や遠隔に住む兄弟からアルバム集が送信されてくる場合もある。また、友人からレコマンドデータが送信されてくる場合もある。レコメンドデータとしては、例えばお勧め番組情報、お勧めショッピング情報などがある。またお勧めシーン、お勧め出演者などの情報もある。このガイド画像の利用例は後で説明する。
【００１９】
さらに機能系の複数のガイド画像が、領域１０１の下側の領域１０４に表示される。機能系のガイド画像は、領域１０１に表示されている再生画像に関連してユーザが電子機器を操作する場合に利用される。このガイド画像の利用例の詳細は後で説明するが、領域１０１に表示されている再生画像に関連したコミュニケーションが、ユーザと外部サーバ（他のユーザ）との間で行われる場合に、このガイド画像が利用されることができる。
【００２０】
＜表示領域１０２のガイド画像の利用例＞
ユーザは例えばリモートコントローラ（携帯端末がリモートコントローラ機能を有する場合もある）を操作し、所望のガイド画像（例えば母親から子供へのメッセージ用のガイド画像）にカーソル（フォーカスと称してもよい）を合わせることができる。ガイド画像は操作ボタンと称されても良い。カーソルは例えばガイド画像を囲むフレームとして表示される。或いはカーソルがフォーカスしたガイド画像の輝度が、他の部分より高くなる、所謂ハイライトされる。カーソルが所望のガイド画像上に位置しているとき、リモートコントローラの決定ボタンが押される（或いはクリックボタンでクリックされる）と、ガイド画像に対応した送受信箱が開かれ、例えばメッセージが表示される。メッセージは、例えば領域１０２の全体或いは半分が利用されることができる。
【００２１】
また、ユーザはリモートコントローラを操作し、レコメンドデータの送受信箱を開くこともできる。レコメンドデータは、例えば友人から送られてきたお勧め番組を示すお勧め番組情報、或いはお勧めショッピング情報である場合がある。このとき、ユーザがお勧め番組に興味を持ち、当該番組を視聴したいと思ったとする。このときユーザは、表示されているお勧め番組情報の選択ボタンにカーソルを合わせて決定ボタンを押すと、ＴＶ装置は、自動的に当該番組の再生を開始することができる。この場合、当該番組の再生画像は、小さい画面で表示されて、次にユーザが決定ボタンを押したときに、大画面で表示されてもよい。
【００２２】
送受信箱は、通信相手の送受信箱や携帯端末へメッセージを送る場合にも利用できる。お勧め番組情報は、例えば、タイトル名、或いは番組内の一部のシーン、或いは出演者名、或いは出演者の画像として表示される。お勧め番組情報には、放送チャンネル番号、放送日時、出演者プロローグなどの情報、コンテンツサーバアドレスなども含まれる。
【００２３】
このときのＴＶ装置が番組コンテンツを取得する方法は、ＴＶ装置に接続されている記録装置を駆動して取得する第1の方法と、インターネットを介してコンテンツサーバからダウンロードして取得する第２の方法がある。第1の方法においては、記録装置に記録されている番組の番組リスト検索機能が動作する。また第２の方法においては、先のお勧め番組情報に含まれるコンテンツを有するサーバへのアドレスが利用される。
【００２４】
また前記お勧め番組情報には、ユーザが前記番組コンテンツを取得しやすいように加工されたデータが含まれている場合がある。即ち、友達が推薦した勧め番組情報は、前記友達の装置からサーバにアップロードされるが、このサーバにおいて、前記ユーザが利用できる番組情報へと加工されている。この加工が行われるのは以下の理由によるものであり、即ち、放送番組は地域に応じて、放送チャンネル番号、放送時間帯などが異なる場合があるからである。したがって、友人が推薦した番組と同じ番組をユーザがサーチして取得しやすいように、番組情報がサーバにて加工（例えば放送チャンネル番号、放送時間帯等が加工）されて当該ユーザに提供される。お勧め番組情報を取得する方法は、その他、カレンダーから取得する方法もあるが、後で説明する。
【００２５】
また、表示領域１０２のガイド画像を利用して、家族の構成員、或いはこのガイド画像を管理する管理器に登録されている友人に対して、メール、ショートメッセージなどを送信することも可能である。この場合の友人は家族構成員に共通の友人である。家族構成員に共通の他の家族、友人などの情報は、家族用のガイド画像を格納し、管理する家族用の管理器で認識され登録されている。
【００２６】
＜表示領域１０４のガイド画像の利用例＞
例えば、現在視聴している番組（領域１０１に表示されている）のドラマにおいて、ユーザが気に入ったシーン、或いは好きな出演者が現れたシーンがあったとする。このような場合、ユーザは、リモートコントローラを操作して、レコメンドのガイド画像を選択し決定ボタンを押す。すると、ユーザが視聴している番組の番組情報がアテンション（或いはノーティス）番組情報としてサーバにアップロードされる。サーバは、このアテンション番組情報をレコメンド番組情報の作成材料、及び又は当該番組のタグリスト作成情報として利用することができる。また、サーバには多くの視聴者から種々の番組に関するアテンション番組情報が送られてくるので、サーバは、アテンション番組情報を利用して統計処理を行うことができる。統計処理を行い、人気度の高い番組順の番組情報リストを作成することができる。
【００２７】
またユーザは、リモートコントローラを操作して、コメント用のガイド画像を選択し決定ボタンを押すことができる。すると、ユーザが視聴している番組（領域１０１に表示されている番組画像）に関してショートメッセージを入力する画面が現れ、メッセージを入力することができる。メッセージは例えば、リモートコントローラ或いは携帯端末のキーボードディスプレイから入力することができる。
【００２８】
図４には、電子機器が、ネット接続され、個人ＩＤによりログインしたときの画面１００の表示状態を示している。この画面１００では、領域１０１と領域１０３との間に友達とのコミュニケーションを図るためのガイド画像の表示領域１０６が得られる。この表示領域１０６には例えば３つのタイプのガイド画像が存在する。上段のガイド画像（Check-in to Program）には、現在ユーザが視聴している番組を同時に視聴している他人（友達）のリストが、表示される。中段のガイド画像（Currently friends online）には、電子機器がネットワークに接続されているが、ユーザが視聴している番組とは異なる番組を視聴している他人（友達）のリストが表示される。下段のガイド画像（Friends）には、電子機器が接続されていない他人（友達）のリストが表示される。電子機器におけるログイン状態は、定期的にサーバへ送信される。従って、サーバは、ネットワークに非接続状態にあるユーザと、接続状態にあるユーザと、接続状態にありかつ同じ番組を視聴しているユーザとを識別することができる。サーバは、複数のユーザのステイタスを監視している。このために電子機器は、表示領域１０６に示すような３つのタイプのガイド画像を提示することができる。
【００２９】
＜表示領域１０６のガイド画像の利用例＞
例えば、現在視聴している番組のドラマにおいて、友達Ａの息子Ｂが出演している場合、ユーザは、このことを友達Ａ或いはその家族に知らせたい場合がある。また友達Ａが迷子の犬Ｃを捜しているとき、ユーザが迷子の犬Ｃのニュースを視聴したとき、このことを友達Ａやその家族に知らせたい場合がある。このような場合、ユーザは領域１０６に表示されているガイド画像を利用することができる。
【００３０】
ユーザはリモートコントローラを操作し、カーソルにより所望の友達が表示されているガイド画像を選択し、決定ボタンを押すことができる。すると、選択された友達にメッセージを送ることができる画面に移行することができる。
【００３１】
上記のコミュニケーションは、表示領域１０２に表示されているレコメンドやメッセージが記載されているガイド画像を利用することもできる。ユーザはリモートコントローラを操作し、カーソルにより所望の画像が表示されているガイド画像を選択し、決定ボタンを押すことができる。すると、選択した画像の送受信箱に登録されている家族或いは人物に当てたメッセージを送信することもできる。表示領域１０６のガイド画像は主としてプライベートなコミュニケーション用として利用できる。
【００３２】
＜表示領域１０３のガイド画像の利用例＞
このガイド画像には、カレンダーが表示されると共に、当日のイベントやスケジュールのタイトルが簡単に表示される。ユーザが、イベントやスケジュールの詳しい情報を知りたい場合は、イベントやスケジュールのタイトルをカーソルで選択しクリックすることにより、詳しい情報がさらに表示される。詳しい情報は、例えばＵＲＬのアドレスでブラウジングすることが可能である。
【００３３】
上記のカレンダーには、ユーザのスケジュールなども記入されることができる。カレンダーの表示領域がカーソルで選択されると、カレンダーの利用項目が表示される。スケジュール書込み項目を選択すると、リモートコントローラ或いは携帯端末からスケジュールを入力することが可能である。
【００３４】
＜操作画面の移動＞
上記した図２、図３及び図４に示したガイド画像は、領域１０１の視聴画像を除いて、タッチ式の入力操作部であってかつ表示部を有する携帯端末で表示することも可能である。つまり、電子機器は、ＴＶ装置の通信機能を介して、上記のガイド画像とガイド画像に対応する操作信号を、携帯端末に移動させることができる。これにより、携帯端末は、ＴＶ装置と通信状態を維持することができ、上記したようにガイド画像を利用して電子機器を操作することが可能となる。
【００３５】
＜クラウドサービスボタン＞
画面１００には、例えば「タイムクラウドサービス(Time cloud Service)」と称されるボタン１０８（名称や表示位置はこの実施形態に限定されるものではない）が表示されている。
【００３６】
今、ユーザが領域１０１に表示されているコンテンツを視聴している中で、クラウドサービスのボタン１０８をカーソルで選択しクリックし、クラウドサービスの指示をしたとする。すると本装置のクラウドサービスのアプリケーションを起動することができる。クラウドサービスがスタートされた場合、視聴コンテンツと共に、このコンテンツに関連するサービスメニューがタイムクラウドサーバーから提供され、当該サービスメニューを一覧表示させることができる。そして表示ステートに応じて、関連するサービスメニューを切り替え表示することができる。クラウドサービスについては様々なサービスがあり、また各種の発展性がある。クラウドサービスにつては、この後、幾つかの代表的な例が説明される。図２、図３及び図４に示したガイド画像は、ボタン１０８がオンされ、本装置がタイムクラウドサービスサーバに接続されたときに起動されるようにしてもよい。クラウドサービスのアプリケーションを起動する場合、リモートコントローラに設けられている専用のキーが操作されてもよい。
【００３７】
クラウドサービスサーバへの接続は、リモートコントローラ及び又は端末の特定のボタンを操作することにより、実行されてもよい。
【００３８】
＜電子機器のブロック構成例＞
図５には一実施例に係る電子機器及び方法が適用されたＴＶ装置３００の全体構成を示している。図５では、デジタルテレビジョン受信機（以下ＤＴＶと略する）の基本機能（テレビジョン号受信、復調、制御信号処理、３Ｄ関連信号処理、記録、オーディオ処理、ビデオ処理及び表示機能など）は、まとめてＤＴＶ機能ブロック（又はモジュール）１４として示している。ＤＴＶ機能ブロック１４は、ＤＴＶインタフェース１５を介して、電子機器２２２と接続される。電子機器２２２は、ブラウザセクションと称してもよい。
【００３９】
この例では、電子機器２２２は、クラウドアプリケーション部２３１、アプリケーション共通部２３２、ソケット部２３４を含む。この分類は、限定されるものではなく、クラウドアプリケーション部２３１が電子機器２２２と定義されてもよい。
【００４０】
ソケット部２３４は、ＤＴＶインタフェース１５から見たサーバーウエブソケット、ブラウザからみたクライアントウエブサーバを含む。
【００４１】
クラウドアプリケーション部２３１は、統括コントローラ２４１、ビュー制御部２４２、モデル２４３を含む。統括コントローラ２４１は、コマンド、インストラクションに呼応して各種のイベント処理を行う。統括コントローラ２４１はビュー制御部２４２を制御して、各種の描画処理を実現する。ビュー制御部２４２は、先に説明した画面１００内の各種画像及び制御信号を得ることができる。ビュー制御部２４２の動作に基づく前記画像及び制御信号は、例えばモデル２４３、ソケット２３４を介してＴＶ装置の表示部に画像及び制御ボタンなどとして反映される。
【００４２】
モデル２４３は、サーバへのアクセス、サーバからの情報取得、サーバへの情報送信、ＤＴＶ操作、ＤＴＶからのデータ受け取りなどを行う。したがって、ＤＴＶからのメッセージを受け取り、サーバへ送信することができる。またサーバから受け取ったメッセージをビュー制御部２４２と共同してＤＴＶの表示部の画面に表示させることができる。サーバとしては、アプリケーションサービス用のサーバ４１０、タイムクラウドサービス用のサーバ４１１、ログコレクタ用のサーバ４１２などが存在する。さらに他の各種サーバ（図示せず）が存在する。
【００４３】
ユーザはリモートコントローラ１１を操作して、ＤＴＶ，及び電子機器２２２を制御することができる。リモートコントローラ１１からの操作信号は、モデレータ１２で分配される。クラウドアプリケーション部２３１用として分配されたキーイベントは、統括コントローラ２４１に入力される。またアプリケーション共通部３２３用として分配されたキーイベントは、ブラウザユーザインタフェース１３を介してアプリケーション共通部２３２に入力される。アプリケーション共通部２３２は、アプリケーション要求コマンドに応じてアプリケーションサーバ４１０に対して指定されたアプリケーションを要求することができる。アプリケーションサーバ４１０から送られたアプリケーションは、モデル２４３を介してクラウドアプリケーション部２３１に取り込まれる。ログコレクタ用のサーバ４１２は、電子機器３００及び他の接続装置で使用されるログを収集することができる。
【００４４】
タイムクラウドサービスサーバ４１１は、他の各種のサーバ及び他の電子機器ともネットワークを通じ接続されることができる。タイムクラウドサービスサーバ４１１は、電子機器に対して各種のサービスデータを送ることができる。タイムクラウドサービスサーバ４１１は、映像コンテンツと、メタデータ作成会社やユーザなどが作成したシーン情報やタグリストとを関連付けることができる。関連付けられたデータは例えばテーブル上に配置されている。
【００４５】
上記した図５に示す各ブロック及びその動作（上記した動作及び以下説明する動作を含む）は、ソフトウエアを形成するインストラクションの集合（プログラムと称しても良い）で実現されてもよいことは勿論のことである。また図５の各ブロック内にソフトウエアによるデータ処理を実現するためのプロセッサ或いは中央演算処理装置（ＣＰＵ）などが組み込まれていてもよいことは勿論のことである。また、上記のソフトウエアはメモリ（記憶媒体）に格納されており、バージョンアップが可能であり、前記メモリ内のデータ（ソフトエア）はコンピュータにより読み取り可能である。
【００４６】
上記のＤＴＶは、複数のデジタルチューナを有し、同時に複数チャンネルを受信することができる。複数チャンネルの信号が復調されると、複数のストリームが得られる。各ストリームは、テレビジョン番組、制御信号などのパケットを含む。複数チャンネルの複数の番組のストリームは、ＵＳＢ接続された例えばハードディスクドライブ（ＨＤＤ）に記録される。ＨＤＤは、記録番組の番組情報を管理する管理情報を記録することもできる。
【００４７】
＜ＤＴＶにおける録画予約、視聴予約、録画履歴、視聴履歴＞
一実施例に係る電子機器及び方法が適用されたＴＶ装置３００においては、録画予約機能、視聴予約機能、録画予約機能、視聴履歴機能が構築されている。
【００４８】
録画予約は、ユーザが所望の番組を所望の記録装置（ＨＤＤなど）に記録することを予約することである。録画予約機能は、例えば電子番組案内（ＥＰＧ）データから番組表を作成し、表示する。ユーザはリモートコントローラを操作して所望の番組をカーソルで選択して、録画予約を行う。これにより、前記所望の番組が例えばＨＤＤに録画される。ここで、複数の記録装置が家庭内ネットワークで接続されている場合、ユーザは、録画先のＨＤＤを指定することも可能である。
【００４９】
録画履歴は、上記の録画予約や、自動録画により録画された番組に関する情報である。録画日時、録画された番組の番組情報（放送局名、放送時間帯のデータなど）が録画履歴情報に含まれる。
【００５０】
視聴予約は、既にＨＤＤに記録されている多数の番組の中から、所望の番組の再生を予約することである。予約情報には、番組を格納しているＨＤＤ、当該番組の放送局名、当該番組の番組名、当該番組の再生開始時間のなどのデータが含まれる。
【００５１】
視聴履歴は、このＴＶ装置３００において再生された番組の番組情報（記録装置、放送局名、放送時間帯のデータなど）を含む。
【００５２】
さらに、上記の録画予約、視聴予約、録画予約、視聴履歴の各情報は、家族の個人個人で管理されることができる。また家庭のメンバーの全員の公開情報として管理されることもできる。これは、管理部において、録画予約、録画履歴、視聴予約、視聴履歴などのデータが、家族用、個人用のログイン識別子により管理されているからである。
【００５３】
＜タイムクラウドサービスサーバと電子機器との関係＞
図６には、図５の総括コントローラ２４１、ビュー制御部２４２、モデル２４３などで構成されるモジュール（ソフトウエア、或はハードウエアでもよい）の一構成例を示している。コンテンツ出力モジュール２４４ａは、表示部に視聴用のコンテンツを出力する。ここで、サービスメニュー一覧表示モジュール２４４ｂは、コンテンツが表示部に出力されている状態で、所定のサーバからのサービスを要求する指示入力があった場合、表示部に対して前記コンテンツに関連するサービスメニューを一覧表示させることができる。そして切り替え表示モジュール２４４ｃは、サービスメニューの表示ステートに応じて、次の指定入力に対して、更なる関連するサービスメニューを切り替え表示することができる。以下この機能に関連する各種のサービス機能が説明される。
【００５４】
＜シーン情報機能（Scenefoと記載してもよい）＞
図７にはシーン情報機能（Scenefo）が利用される際のＴＶ装置３００とタイムクラウドサービスサーバ４１１との関係を簡単に示している。この実施形態では、映像コンテンツとシーン情報が結びつけられたサービスをシーンインフォメーションとし、これを略して例えば「シーンフォ：Scenefo」と称する。
【００５５】
ユーザが番組を視聴している間に、気になるシーンがあった場合、例えばリモートコントローラの「シーン情報キー」（図４のタイムクラウドサービスボタン１０８がオンされている状態が好ましい）を押す。或いは領域１０４に気になるボタン（気になるキー）が表示されている場合もあるので、このキーをクリックする。すると、シーン情報サービスアプリケーションが起動する。また同時にブラウザも起動される。次に、気になるシーンに関連するシーンを複数のタグとして収集したタグリスト、或いはシーンリストをユーザはブラウジングすることができる。タグリストやシーンリストは複数の場合がある。通常タグリストは同一番組内で複数のタグが作成されている。シーンリストは、同一番組のシーンと他の番組のシーンとが一体となって作成されている場合がある。このタグリストやシーンリストもシーン情報に含まれる。その他、シーン情報は後で説明するように各種の情報を含む。
【００５６】
タグリストやシーンリストは、メタデータ作成会社や一般のユーザが作成して、タイムクラウドサービスサーバ４１１にアップロードしているものである。
【００５７】
なおタグリスト或いはシーンリストは、例えばある番組において、同一の出演者が現れるシーンを数秒、或いは数十秒単位で区分することができる区間情報である。区間情報には、番組の開始位置からの再生経過時間（相対時間と称される）が利用され、シーンの開始時間と当該シーンの終了時間のペアで、１単位のシーンを特定している。
【００５８】
タイムクラウドサービスサーバ４１１は、「シーン情報キー」操作に基づいて発生したシーン情報（番組名、チャンネル番号、気になるシーンの番組上のタイムロケーション（開始位置からの相対時間とも称される））を参照して、対応するタグ或いはシーンを決定する。タグは、タグリストを構成している１単位のタグである。タグリストは、通常は同一番組内で作成される。シーンはシーンリストを構成する１単位のシーンである。シーンリストは、ユーザが視聴している番組のリストのみならず複数の番組に跨って作成されることができる。複数の番組を通じて作成されるシーンリストは、例えば同一或いは類似のジャンルの複数の番組から作成されることができる。
【００５９】
シーンリストには、番組を代表するような例えば名称或いはコメントが付されている。１つの番組の１つのシーンに対応して複数種のシーンが作成されている場合もある。これは１つのシーンにおいて、ユーザが気になるシーンは背景である風景、或いはシーンに登場している車、或いは車を運転している役者の場合があるからである。従ってシーンリストとしては、風景に関するシーンリスト、車に関するシーンリスト、役者に関するシーンリストなどが作成される場合がある。
【００６０】
上記したように、ユーザが番組のあるシーンで、「シーン情報キー」を操作すると、対応するシーンに関するシーン情報がタイムクラウドサービスサーバ４１１から電子機器へ送られてくる。即ち、本装置は、コンテンツ視聴中に、クラウドサービスを起動する指示があった場合に、視聴コンテンツと共に、このコンテンツに関連するサービスメニューを一覧表示させる手段を有する。
【００６１】
上記シーン情報に関する複数のシーンが、画面１００の例えば右側に表示される。ユーザは、シーンとともに表示されるコメントや名称を参照し、リモートコントローラ操作により所望のシーンを選択し、決定ボタンを押すことができる。すると、画面１００では、選択したシーンに関する各種のシーンが例えば「商品情報」「店舗情報」「地域情報」「人物情報」、「タグ再生」などのカテゴリー選択ボタンが表示される。
【００６２】
このときの画面１００の表示状態は、気になるシーンに現れた商品、店舗、地域、人物、「タグ再生」などに関してさらに詳細な情報をユーザに提供できることを意味する。また「タグ再生」が選択された場合は、タグを再生できることを意味する。即ち、本装置は、表示ステートに応じて、関連するサービスメニューを切り替え表示する手段を有する。
【００６３】
ユーザにより例えば「商品情報」のボタンが選択された場合、画面１００は、商品の販売サイトのブラウジング状態に移行する。これは、タイムクラウドサービスサーバ４１１から送られて来たシーン情報に、シーンリスト或いはタグリストのデータとともに、販売サイトのホームページアドレスなどが、拡張連鎖情報として含まれているからである。
【００６４】
ユーザにより「店舗情報」のボタンが選択された場合、画面１００は、気になるシーンに現れた店舗の案内サイトに移行することができる。ユーザにより「地域情報」のボタンが選択された場合、画面１００は、当該地域の観光局、役所などの案内サイトに移行することができる。この場合、タイムクラウドサービスサーバ４１１から送られてくる情報には、ＧＰＳ情報に基づいて作成された地図情報が含まれていてもよい。これによりユーザは、地図を見ることで店舗等が自宅から近いか否かを確認することもできる。
【００６５】
さらにまた、ユーザにより「人物情報」のボタンが選択された場合、画面１００は、当該役者のプロフィール、当該役者が出演している他の番組、劇場などの案内、後援会情報などの案内サイトに移行することができる。なお「シーン情報キー」は、他のキーで兼用されていてもよい。
【００６６】
＜シーンリスト機能（SceneListと記載してもよい)＞
図８は、シーンリスト機能（SceneList）が利用される際のＴＶ装置３００とタイムクラウドサービスサーバ４１１との関係を簡単に示している。このシーンリスト機能も上記したシーン情報機能（Scenefo）と同様な手段を有する。
【００６７】
例えばサッカーの番組において、ゴールシュートのシーンを見たい場合、或いは特定の選手が現れたシーンを見たい場合がある。また相撲番組において、特定のレスラー（力士）が現れるシーンを見たい場合がある。
【００６８】
このような場合、番組を視聴中のユーザは、特に視聴したいシーンがあった場合、リモートコントローラの例えば「シーンリストキー」（図４のタイムクラウドサービスボタン１０８がオンされている状態が好ましい）を操作する。すると、シーンリスト機能が起動し、視聴したいシーンと同等或いは類似するシーンのシーンリスト或いはタグリストを視聴することができる。
【００６９】
タグリストは、通常は同一番組内で作成される。シーンリストは、ユーザが視聴している番組のリストのみならず複数の番組に跨っているシーンリストが存在する。例えば相撲番組で、特定の力士が登場する試合は、１日１回であり、複数日分の番組が収録されている。このために、シーンリストは、複数番組のシーンリストが存在する。シーンリストには、番組を代表するような例えば名称或いはコメントが付されている。１つの番組の１つのシーンに対応して複数種のシーンリスト或いはタグリストが作成されている場合もある。このシーンリスト或いはタグリストも、タイムクラウドサービスサーバ４１１から提供される。即ち、本装置は、コンテンツ視聴中に、クラウドサービスを起動する指示があった場合に、視聴コンテンツと共に、このコンテンツに関連するサービスメニューを一覧表示させる手段を有する。
【００７０】
ユーザは、所望のシーンリスト名を選択し、再生ボタンを押すと、選択したシーンリスト或いはタグリストに従ったシーン再生が行われる。ユーザは、所望のシーンリスト名を選択し、例えば決定ボタンを押すことができる。この決定ボタンを押すと、シーンリストを形成しているシーンセルが配列表示される。この配列は時間経過順である。ここでユーザは、所望のシーンセルの位置にカーソルを合わせて再生ボタンを押すと、カーソルで指定されたシーンからシーンの配列順に再生が開始される。即ち、本装置は、表示ステートに応じて、関連するサービスメニューを切り替え表示する手段を有する。
【００７１】
＜シーンプレイ機能（ScenePlayと記載してもよい）＞
図９は、シーンプレイ機能（ScenePlay）が利用される際のＴＶ装置３００とタイムクラウドサービスサーバ４１１との関係を簡単に示している。このシーンプレイ機能も上記したシーン情報機能（Scenefo）と同様な手段を有する。
【００７２】
長時間番組や或いは途中まで視聴した番組に関しては、ユーザは番組の途中から再生して視聴したい場合ある。又気に入ったシーンから再生したい場合がある。このような場合ユーザは、画面１００の例えば領域１０４に表示される「シーンプレイ」の操作ボタン（ガイド画像）をクリックする（図４のタイムクラウドサービスボタン１０８がオンされている状態が好ましい）。すると、画像配置が変更され、現在視聴している番組に関して、代表お勧めシーンの小画像が複数個表示される。例えば図３の右側に示したガイド画像のように、複数の代表お勧めシーンの小画像が表示される。即ち、本装置は、コンテンツ視聴中に、クラウドサービスを起動する指示があった場合に、視聴コンテンツと共に、このコンテンツに関連するサービスメニューを一覧表示させる手段を有する
ところで、図１−図３の画面１００には「シーンプレイ」のガイド画像が表示されていない。しかし、領域１０４の何れかのガイド画像にカーソルを合わせて、リモートコントローラのスクロールキーが操作されることにより、種々のガイド画像を表示することができる。ガイド画像の中には、「シーンプレイ」のガイド画像があるので、このガイド画像をクリックする。すると、現在視聴している番組に関して、代表お勧めシーンの小画像が複数個表示される。
【００７３】
ユーザは、リモートコントローラ操作により、カーソルで所望の小画面を選択し、再生ボタンを押すことにより、当該小画面のシーンから番組再生を開始させることができる。即ち、本装置は、表示ステートに応じて、関連するサービスメニューを切り替え表示する手段を有する。
【００７４】
お勧めシーンは、例えばタイムクラウドサービスサーバ４１１で作成され、準備されている。お勧めシーンの作成方法は各種の方法が可能である。タイムクラウドサービスサーバ４１１は、多くのクライアント（ユーザ）から、例えば気になるシーン情報を収集及び又はレコメンドデータを収集する。そして気になるシーン情報の番組情報及び又はレコメンドデータに含まれる番組情報の統計をとる。この統計処理により、番組毎に番組情報により何回も指定されている複数のシーンの順位を決める。そして１つの番組内で前記順位の高い複数のシーンを代表シーンとし、代表シーンに対応する代表シーン情報を作成する。これにより各番組において、複数の代表シーンが決められる。代表シーン情報は、番組の名称、番組の放送日時、番組を最初から再生した場合に代表シーンの再生に移行するまでの相対時間などを含む。
【００７５】
またタイムクラウドサービスサーバ４２１は、ユーザの電子機器から番組の記録先（ハードディスクドライブ，ＤＶＤ，ＢＤなど）情報及び記録した番組情報などを受け取り、どの番組がどの記録媒体に記録されているかを把握できるようになっている。このために、ＴＶ装置は、代表シーンを作成する場合、この代表シーンを含むコンテンツを記録媒体から高速で読み取り、複数の代表シーンを提示することができる。
【００７６】
＜シーン情報機能（Scenefo）、シーンリスト機能（SceneList）、シーンプレイ機能（ScenePlay）の選択・切換・移行＞
ユーザは、(a) シーン情報機能（Scenefo）にエンターした後、シーンリスト機能（SceneList）或いはシーンプレイ機能（ScenePlay）に移行したい場合がある。またユーザは、(b) シーンリスト機能（SceneList）にエンターした後、シーンプレイ機能（ScenePlay)或いはシーン情報機能（Scenefo）に移行したい場合がある。またユーザは、(c)シーンプレイ機能（ScenePlay)にエンターした後、シーンリスト機能（SceneList）或いはシーン情報機能（Scenefo）に移行したい場合がある。
【００７７】
本電子機器は、このような場合、機能切換機能を有する。機能切換方法は各種の方法が可能である。例えば、シーンリスト或いはタグリストが現れた後に、シーン情報キー、シーンリストキー、シーンプレイキーが表示され、何れかを選択できるようにしてもよい。または、シーン情報キー、シーンリストキー、シーンプレイキーは、リモートコントローラに設けられても良いし、或いは携帯端末の表示部に表示されても良い。
【００７８】
或いは、シーン関連機能切換キーを用意し、いずれの機能が動作中であってもこの切換キーを繰り返し操作することにより、シーン情報機能（Scenefo）、シーンリスト機能（SceneList）、シーンプレイ機能（ScenePlay）がサイクリックに切換わるようにすることができる。
【００７９】
＜シーン情報機能（Scenefo）、シーンリスト機能（SceneList）、シーンプレイ機能（ScenePlay）の動作時に利用される制御情報＞
タイムクラウドサービスサーバ４１１は、電子機器に対してＴＶ機能を制御するための制御情報を送信することもできる。タイムクラウドサービスサーバ４１１は、情報の拡張連鎖機能を有し、メタデータのデータベースサーバや多くのユーザから送信されてきたデータの関連付けを行い、拡張連鎖データを作成することができる。タイムクラウドサービスサーバ４１１は、データを関連付けるための関連付けテーブルを有する。データを関連付ける方法は各種の方法が可能である。例えば種々のデータを共通の識別子で関連つける方法がある。さらに前記識別子に対して、サブ識別子を追加して、データの関連付けの程度や、関連付けられたデータの種類を前記サブ識別子で分類しても良い。
【００８０】
上記したように番組情報と店舗、或いは商品などを関連付けたシーン情報を作成することができる。
【００８１】
拡張連鎖データには、ＴＶ機能を自動制御する制御信号が含まれていてもよい。例えば、ＴＶ装置のＤＴＶ機能ブロック１４が３Ｄ信号処理部を有する場合、コンテンツ処理を３Ｄ処理モードに切り換えるための制御信号を送信することもできる。ＴＶ装置のＤＴＶ機能ブロック１４は、該制御信号に応答することができる。３Ｄ処理としては、２Ｄ信号を３Ｄ信号に変換する処理がある。また３Ｄ処理としては、３Ｄ信号を、３Ｄ用ディスプレイに供給する処理もある。３Ｄ用ディスプレイとしては、ユーザが、裸眼で３Ｄ像を見ることが可能なディスプレイ、或いはユーザが眼鏡を使用して３Ｄ像を見ることが可能なディスプレイがある。そこで、タイムクラウドサービスサーバ４１１は、これからユーザが視聴するシーン或いは映像が３Ｄ視聴することが好ましく、かつＴＶ装置が３Ｄ機能を有すると判断した場合は、自動的にＴＶ装置を３Ｄ処理状態に切り換える制御信号を送信することができる。
【００８２】
さらには、シーンに応じたオーディオ制御信号及び又はオーディオ信号がタイムクラウドサービスサーバ４１１から送られ、ＴＶ装置のＤＴＶ機能ブロック１４は、該オーディオ制御信号及び又はオーディオ信号にも応答することができる。特に、シーン情報機能、シーンリスト機能が動作する場合は、ＴＶ装置は、通常の番組が連続再生される状況とは異なる再生状況となる。このために、ＴＶ装置のオーディオ系により、シーンに適した音楽（ＢＧＭ等）あるいは音声が出力されるようになる。
【００８３】
さらにまた、ユーザが視聴するシーンによって、画像の輝度調整、色調整を行った場合がよい場合もある。このような場合もユーザやシーンに応じて、タイムクラウドサービスサーバ４１１は、画像の調整データを拡張連鎖データに含めて送信することができる。例えば電子機器が家族用ログインＩＤでログインされている状況の中で、シーンリストが要求されたとする。そしてシーンリストにより指定される複数のシーンの中に特定のシーン（過激な暴力シーンなど）が、存在したとする。このような場合、タイムクラウドサービスサーバ４１１は、特定のシーンの再生をジャンプさせる制御信号を拡張連鎖データに含ませてクライアントに送信してもよい。
【００８４】
タイムクラウドサービスサーバ４１１は、電子機器からそのログイン識別子とともに、例えばＴＶ装置、或いは携帯端末などの製造メーカ情報、表示能力などを含む仕様情報、を受け取り保存することができる。メーカにより、ＴＶ装置の表示能力、制御方法などが異なる場合があるからである。タイムクラウドサービスサーバ４１１は、シーン情報機能（Scenefo）、シーンリスト機能（SceneList）、シーンプレイ機能（ScenePlay)の動作時に、電子機器（クライアント）に対して制御信号を送信する場合、クライアントに適合する制御信号を送信することができる。またタイムクラウドサービスサーバ４１１が作成したメッセージなどの表示用データを送信する場合、電子機器（クライアント）の設定に応じて、日本語、英語、フランス語、韓国語、中国語、ドイツ語、スペイン語、など異なる言語及び又は音声を送信するようにしてもよい。
【００８５】
さらにまたタイムクラウドサービスサーバ４１１は、電子機器（クライアント）を含むＴＶ装置が節電機能を有する場合、節電指令或いは節電協力要請信号を送信するように構成されている。タイムクラウドサービスサーバ４１１は、電力需要状況、電力予報情報を例えば電力プラント会社から受け取ることができる。電力の消費が電力供給量に対して逼迫している場合、タイムクラウドサービスサーバ４１１は、各電子機器へ、節電協力を行うように節電協力のための通知を行うことができる。
【００８６】
図１０には、タイムクラウドサービスサーバ４１１を形成している各サーバの組織例を示している。
【００８７】
４２１はメタデータサーバであり、外部のデータ作成会社のデータ作成サーバ５１４から各種のメタデータを受け取ることができる。メタデータは、番組情報であり、放送チャンネル、放送時間、出演者、など番組に関する多くの情報が含まれる。メタデータは、メタデータサーバ４２１において、シーン情報、タグリスト、シーンリスト、などを作成するのに利用される。またタグリスト、シーンリスト、及びシーン情報に付随する制御情報も存在する。
【００８８】
さらにメタデータサーバ４２１は、タグリスト作成用のサーバ４２２に対して、タグリスト及び又はシーンリストを登録することができる。また、メタデータサーバ４２１はクライアント（電子機器）からの要求に応じてタグリスト作成用のサーバ４２２からタグリスト及び又はシーンリストを取得し、クライアント（電子機器）へ提供することができる。メタデータサーバ４２１は、メタデータを用いて、シーン情報を作成し、クライアント（電子機器）へ送信することができる。
【００８９】
メタデータサーバ４２１は、多くのクライアント（ユーザ）から、例えば気になるシーン情報、レコメンドデータを収集し、履歴収集サーバ４２３に転送する。履歴収集サーバ４２３は、気になるシーン情報の番組情報及び又はレコメンドデータに含まれる番組情報の統計をとる。この統計処理により、番組毎に番組情報により何回も指定されている複数のシーンの順位を決める。そして１つの番組内で前記順位の高い複数のシーンを代表シーンとし、代表シーンに対応する代表シーン情報を作成する。これにより各番組において、複数の代表シーンが決められる。代表シーン情報は、番組の名称、番組の放送日時、番組を最初から再生した場合に代表シーンの再生に移行するまでの相対時間などを含む。
【００９０】
メタデータサーバ４２１は、クライアントからシーンプレイの要求があったときは、サーバ４２３から、要求のあった番組に関する代表シーン情報を当該クライアントへ返信することができる。
【００９１】
図１１は、メタデータサーバ４２１の内部構成例を示している。メタデータ取得処理部４２１１は、データ作成サーバ５１４から各種のメタデータを受け取り、このメタデータをデータベースユニット４２１２に格納する。タグリスト生成・登録処理部４２２０は、メタデータを用いて、タグリストを生成し、生成したタグリストをサーバ４２２に登録する。タグリスト取得処理部４２２１は、クライアント（電子機器）からの要求に応じてタグリスト作成用のサーバ４２２からタグリストを取得し、クライアント（電子機器）へ提供することができる。シーン情報生成処理部４２１３は、メタデータを用いて、シーン情報を作成し、作成したシーン情報をシーン情報データベースユニット４２１５に格納する。情報送信処理部４３１１は、クライアントからの要求に応じて、シーン情報及び又はタグリスト及び又はシーンリストを当該クライアントに送信する。
【００９２】
コマンド処理部４３１０は、クライアントからの指令及び又は情報を受け取り、メタデータサーバ４２１の動作に反映させる。また
上記したブロックは代表的なブロックを示しているだけである。またデータベースユニット４２１２には、上記以外の各種のデータが格納される。さらに、制御ブロックとしても、各種のブロックが存在し後述する動作を達成するものである。
【００９３】
上記したメタデータサーバ４２１は、情報の拡張連鎖処理を実施している。例えば、上記したように、クライアント（ユーザ又は電子機器）から気になるシーンのシーン情報がこのメタデータサーバ４２１に送信されてくると、メタデータサーバ４２１は、当該クライアントの要求に対応したデータとともに、さきに説明した拡張連鎖データを送信することができる。このためユーザは、拡張連鎖データを有効に使うことができるという利便性を得られる。
【００９４】
図１２は、電子機器２２２とＤＴＶ機能ブロック１４の構成例を相互関係と共に示している。総括コントローラ２４１は、ＤＴＶ制御モジュール２４１１、ログイン識別子管理モジュール２４１２、コミュニケーションデータ管理モジュール２４１３、ログイン識別子送信モジュール２４１４を含む。ＤＴＶ制御モジュール２４１１は、ユーザ操作に基づいてＤＴＶ機能ブロック１４を制御する場合と、クラウドサービスサーバ４１１からの制御データに基づいてＴＶ各種機能ブロック１４を制御する場合とがある。ログイン識別子管理モジュール２４１２は、図３、図４で説明したログイン識別子が入力されたときに、ログイン識別子の保存を制御し、家族用、個人用のログイン識別子をテーブルデータとして管理している。コミュニケーションデータ管理モジュール２４１３は、各ログイン識別子に対応して、通信データを管理する。例えば、ログインしたユーザが外部サーバをアクセスした場合、その履歴データを管理している。履歴データにはアクセス先アドレス、取引データなども含まれる。またコミュニケーションデータ管理モジュール２４１３は、クラウドサービスサーバ４１２から送られて来たデータに関して、分類・保存処理を実行し、また表示用データとして用いることもできる。また録画予約、録画履歴、視聴予約、視聴履歴などのデータも、家族用、個人用のログイン識別子により管理されている。
【００９５】
ログイン識別子送信モジュール２４１４は、ログインしたログイン識別子をクラウドサービスサーバ４１２に送信する。クラウドサービスサーバ４１２は、多くのユーザからのログイン識別子を管理し、図４で説明したようなガイド画像を提供する際に利用する。
【００９６】
ビュー制御部２４２は、デモンストレーション画像制御部２４２１、ガイド画像制御部２４２２を含む。これにより、図１−図４で説明したようなデモンストレーション画像、ガイド画像をＤＴＶ側に提供できる。
【００９７】
ＤＴＶ機能ブロック１４は、アンテナからの信号を受信するワンセグ受信・処理部１４１、衛星放送、地上デジタル放送を受信する受信部１４２及び復調部１４３を有する。受信部１４２及び復調部１４３は、複数のチューナを含み同時に複数のチャンネルの放送番組を受信し復調することができる。復調された複数の番組信号は、ＤＶＤ機器１４ＡにおいてＤＶＤフォーマットに変換されデジタルバーサタイルディスクに記録されることができ、或いはＢＤ機器１４ＢにおいてＢＤフォーマットに変換されてブルーレイディスクに記録されることができる。また任意のストリームにより、ハードディスクドライブ１４Ｃにてハードディスクに記録されることができる。ＤＶＤ機器１４Ａ、ＢＤ機器１４Ｂ及び
ハードディスクドライブ１４Ｃは、ホーム・ネットワーク接続部１４８を介してＤＴＶ機能ブロック１４に接続されている。ハードディスクドライブ１４Ｃは、ＵＳＢケーブルを介して接続されるタイプであってもよい。ハードディスクドライブ１４Ｃは、複数のチャンネル（例えば設定した６チャンネル）の全番組を例えば、同時録画し、例えば１週間乃至３週間程度、録画できる方式のものであってもよい。この種の機能はタイムシフト機能と称される場合もある。またハードディスクドライブが増設されるように構成されてもよい。
【００９８】
このネットワーク接続機器及び記録番組情報は、ＴＶコントローラ１４０にて把握され、電子機器を介してクラウドサービスサーバ４１２に送信されることもできる。この場合、クラウドサービスサーバ４１２は、ユーザの家庭内のネットワーク接続機器及び記録番組情報を把握できる。したがって、シーンリスト情報に基づいて、各種のシーンが再生される場合、クラウドサービスサーバ４１２は、前記各種のシーンが記録されている家庭内の接続機器まで指定することも可能である。
【００９９】
ＤＴＶ機能ブロック１４内において、復調された番組信号、或いはＤＶＤ，ＢＤ或いはＨＤ（ハードディスク）などの記録媒体から再生された番組信号は、信号処理部１４４にて各種調整（輝度調整、色調整など）が行われ出力部１４５を介して表示部の画面１００に表示される。
【０１００】
ＤＴＶ機能ブロック１４は、電源回路１４６を含み、電源回路１４６は商用電源使用状態、バッテリー１４７の使用状態のいずれにも任意に切換ることができる。この電源使用状態の切換は、利用者がリモートコントローラ操作により強制的に行う場合と、外部情報に基づいて、自動的に実施される場合とを含む。
【０１０１】
クラウドサービスサーバ４１１は、自動的にＴＶ装置を３Ｄ処理状態に切り換える制御信号を送信することができる。さらには、クラウドサービスサーバ４１１は、シーンに応じたオーディオ制御信号及び又はオーディオ信号をＴＶ装置に送信することができる。さらにまた、シーンに応じて、クラウドサービスサーバ４１１は、画像の調整データを拡張連鎖データに含めて送信することができる。
【０１０２】
ＤＴＶ機能ブロック１４は、近距離無線送受信部１４９を含む。近距離無線送受信部１４９を介して、携帯端末とのデータ送受信が可能である。携帯端末は、ＤＴＶ機能ブロック１４に操作画像を要求することができる。ＤＴＶ機能ブロック１４は、操作画像が要求された場合、図３、図４で示したようなガイド画像を携帯端末に送信することができる。ユーザは、携帯端末のガイド画像を利用して上記電子機器を制御することができる。
【０１０３】
ＤＴＶ機能ブロック１４は、上記したクラウドサービスサーバ４１２から送られてきた制御データをチェックし、自動的に動作状態として反映することができる。
【０１０４】
したがって、上記のシステムによると、基本的には、電子機器は、ユーザの第１の操作信号に応答してネットワーク接続部を介してサーバにトリガとなるデータ（シーン情報キー、シーンリストキー、シーンプレイキーに対応した制御信号）を送信する。次に前記トリガデータに基づいて返信された拡張連鎖データを取得し、前記拡張連鎖データに含まれる自動制御用の第1の制御信号（インストラクション）と、ユーザの第２の操作信号に応答する第２の制御信号（インストラクション）を分類保存する。保存は統括コントローラ或いはモデルで保存される。そして前記第1の制御信号（インストラクション）に基づき自律動作し、及びまたは、第２の制御信号（インストラクション）に基づき他律動作することができる。自律動作とは、自動的に動作することであり、例えば図４で示したように領域１０６の表示画像を得ること、及びＤＴＶ機能ブロック１４を制御することである。他律動作とは、ユーザの操作を待ち、ユーザからの第２の操作信号が入力したときに、当該第２の操作信号に応答することである。この動作は、図６、図７、図８で説明したように商品選択に応答する動作、タグリスト選択に応答する動作、シーンリスト選択に応答する動作などである。さらに前記拡張連鎖データには表示するための表示用データも含まれている。この表示用データは、各種のメッセージや、アルバムなどが含まれる。またタイムクラウドサービスサーバ４１１から節電指令が送られてきたとき、本ＤＴＶ機能ブロック１４は、節電動作を実行することができる。節電動作とは、例えばフルセグ受信状態からワンセグ受信状態への切換、あるいは表示部の表示領域の縮小、商用電源使用からバッテリー使用への切換が可能である。
【０１０５】
またＤＴＶ機能ブロック１４は、図１−図４で示した画面において、領域１０１の動画像の領域の輝度が他の領域の輝度より高い状態に制御することができる。つまり領域１０２−１０４のガイド画像の輝度を領域１０１の動画像よりも低くし、動画像を見やすくすることができる。ただし、何らかの操作のために、カーソルがポイントしたガイド画像は、その輝度を明るく制御することができる。
【０１０６】
上記した本装置は、カレンダーを有効に活用することができる。以下、カレンダーの表示形態及びカレンダーの活用手段及び方法について説明する。
【０１０７】
図１３Ａは、月単位によるカレンダーが表示された例である。カレンダーは、複数の領域を有し、それぞれに図に示すように名称が付けられている。全体画像は月表示（month view）と称され、複数の週の表示領域はグリッド領域（month grid area)と称され、画像の右側にリストプレビュー領域（list preview area)がさらに配置されている。さらに画像の下側にリモコンガイド領域（remote-controller guide area)が配置されている。この図１３Ａのような表示状態は、先に説明した（図４）の領域１０３にカーソルを移動させて、クリックする（或いは決定ボタンを押す）ことで、得ることができる。
【０１０８】
図１３Ｂは、例えば図１３Ａに示すような位置に、カーソルが位置するときに決定ボタンが押されると、得られる画像である。この画像は、特定された日に対応するイベントのリストを示す。また、特定された日に続く次の日のイベントのリストを示すこともできる。この画像においても複数のエリアにそれぞれ図に示すように名称が付けられている。大きく分けると、リスト領域(list area)、イベントプレビュー領域(event preview area)がある。リスト領域には、日付セパレータ(daily separator)と、イベントアイテムと称される領域が含まれている。イベントアイテムとしては「視聴予約イベント」、「録画予約イベント」、「行動予定イベント」などが含まれる。イベントアイテムの位置にカーソルを移動させると、当該イベントアイテムのプレビューをイベントプレビュー領域で見ることができる。
【０１０９】
図１３Ｃは、イベントの詳細を示す画像である。この画像は、図１３Ｂのイベントアイテムがカーソルで選択され、決定ボタンが押されることで表示される。図１３Ｃの最前面の画像は、「録画予約イベント」の詳細が表示された例を示している。この画像では、例えば、録画予約された番組の「タイトル」、「放送の種別」、「放送の日時」、「記録先のメディア」、などが表示される。
【０１１０】
図１３Ｃの画像の「戻る」ボタンが選択されて「決定ボタン」が押されると図１３Ｂの画像となり、図１３Ｂの画像の「戻る」ボタンが選択されて「決定ボタン」が押されると、図１３Ａの画像となる。
【０１１１】
図１４Ａ−図１４Ｄは、上記した画像の変化の例を具体的画像で示している。図１４Ａは、図４と同じであり、図１４Ａはホーム画像である。図１４Ａの領域１０３をカーソルで選択し、「決定ボタン」が操作されると、図１４Ｂの状態（図１３Ａに対応）となる。図１４Ｃ，図１４Ｄは、それぞれ図１３Ｂ，図１３Ｃに対応する。
【０１１２】
図１５Ａ−図１５Ｆは、ビュー制御部或いはＴＶコントローラによる、スクロール制御器が動作した場合の画像の状態を説明する図である。
【０１１３】
以下、リスト領域の表示可能な行数を１０件（日付セパレータ含む）と仮定し、予約イベントの登録状態によりパターンを分けて、表示方法を説明する。また表示可能なイベント数は日付セパレータを除いて最大９件であり、メッセージセパレータ(例えば「これより後の予定はありません」)がある場合は、最大で８件とする。
【０１１４】
図１５Ａは、パターン１である。この例は、８月１６に１２件(１〜１２)のイベントが登録されており、８月１７日以降には予約イベント無しの例を示している。この状態は、月表示画像において、日付８月１７日以降を選択し、リスト表示画像に遷移したときに得られる。
【０１１５】
図１５Ｂは、パターン２である。この例は、８月１５日に５件(Ａ１〜Ａ５)のイベントが登録されており、８月１６日に５件(Ｂ１〜Ｂ５)のイベントが登録されており、８月１７日以降には登録イベント無しの場合である。この状態は、月表示画像で８月１７日以降を選択し、リスト表示画像に遷移したときに得られる。
【０１１６】
図１５Ｃは、パターン３である。この例は、８月１４日以前には登録イベント無し、８月１５日に1件(Ａ１)、８月１６日に５件(Ｂ１〜Ｂ５)のイベントが登録されており、８月１７日以降には登録イベント無しの場合である。この状態は、月表示画像で８月１７日以降を選択し、リスト表示画像に遷移したときに得られる。
【０１１７】
図１５Ｄは、パターン４である。この例は、８月１５日以前には登録イベント無し、８月１６日に５件(Ｂ１〜Ｂ５)のイベントが登録されており、８月１７日以降には登録イベント無しの場合である。この状態は、月表示画像で８月１７日以降を選択し、リスト表示画像に遷移したときに得られる。
【０１１８】
図１５Ｅは、パターン５である。この例は、８月１５日以前には登録イベント無し、８月１６日に８件(Ａ〜Ｈ)のイベントが登録されており、８月１７にもイベントが登録されていることを表している。この状態は、月表示画像で８月１６日を選択し、リスト表示画像に遷移した場合に得られる。このようにイベントリスト領域に表示する予約イベントの数により、最下位に日付セパレータのみが表示されるケースがある。
【０１１９】
図１５Ｆは、例えば本日が８月１６日であり、１２件のイベント(Ａ〜Ｉ)が登録されている例である。このような画像は、「本日」ボタンを押したときに得られる。今日以降に予定がない場合等は、パターン１からパターン５に準ずる。
【０１２０】
図１６Ａには、月表示画像でイベントが何も登録されていない場合、ある日を選択した場合に表示される画像の例を示している。この画像では、「予定何もありません」、「決定で戻る」、「決定で月表示画像」などのメッセージダイアログが現れる。「決定ボタン」が押されると、図１６Ｂに示すように、本日にフォーカスがある月表示画像が表れる。
【０１２１】
上記したように、カレンダー関連情報の表示は以下のように説明できる。各イベントアイテムは日付ごとに日付セパレータで区切られる。この例では、日付セパレータにはフォーカスは当たらない。イベントアイテムがある場合、日付セパレータは常にリスト領域の先頭に表示する。日付セパレータに続き、該当日に設定されている各イベントアイテムの要約が表示される。イベントアイテムの表示順は、上に行くほど古く（過去）、下に行くほど新しく（未来）なる並びである。イベントアイテムにフォーカスが当たったら、イベントプレビュー領域にイベント詳細情報が表示される。イベントの表示順は条件によって、フィルタリングやソートをすることが可能である。
【０１２２】
次にイベントアイテムのリストのスクロールについては以下のように説明できる。リスト表示は１日分の情報ではなく、日をまたいで連続的にスクロールできる。上下カーソルキー（上向き矢印と、下向き矢印）によりリスト表示のフォーカスを移動することができる。しかし日付セパレータにはフォーカスは当たらない。上下ページボタンの操作、表示が１ページ分変わり（１アイテム分ではない）、先頭アイテムにフォーカスが当たる。リストの上端で、上カーソルキー（上向き矢印）が押されると表示が１ページ分変わり（１アイテム分ではない）、最終アイテムにフォーカスが当たる。リストの下端で、下カーソルキー（下向き矢印）が押されると表示が１ページ分変わり（１アイテム分ではない）、先頭アイテムにフォーカスが当たる。
【０１２３】
リスト領域と機能ボタンとの間のフォーカス移動は、次の様な態様である。イベントアイテムにフォーカスが当たっている時に左カーソルキー（左向き矢印）を押した場合、「今日」ボタンにフォーカスが移動する。「今日」ボタンにフォーカスが当たっている時に右カーソルキー（右向き矢印）を押した場合、イベントアイテムにフォーカスが移動する。左右カーソルキー（左向き矢印、右向き矢印）でのリスト領域／イベントプレビュー領域間の移動はない。左右カーソルキーでのフォーカス移動はサイクリックではなくてもよい。
【０１２４】
なお、カレンダーのリスト表示状態と月表示状態の切り替え方法は、上記の実施形態に限定されるものではない。例えば、日付セパレータの部分をカーソルによりフォーカスし、決定ボタンを押すと、月表示状態へ切換る方法であってもよい。また、月表示状態からリスト表示状態への切り替えは、月表示状態にあるカレンダーの１つのブロックを選択し、決定ボタンを押すことで、リスト表示状態に切換る。
【０１２５】
上記したカレンダーは、以下に説明するスクロール機能により表示状態が切換ることができる。
【０１２６】
図１７Ａに示すように、例えば、５月３日（木）にフォーカスが当たっている状態で、リモートコントローラの上カーソースキー（上方向の矢印）を押した場合、４月のカレンダーを表示し、４月２６日(木)（最終の週の同じ曜日（木））にフォーカスを当てることができる。
【０１２７】
図１７Ｂに示すように、例えば、５月２９日(火)にフォーカスが当たっている状態で、リモートコントローラの下カーソルキー（下方向の矢印）を押した場合、６月のカレンダーを表示し、６月５日（火）（最初の週の同じ曜日（火））にフォーカスを当てることができる。
【０１２８】
図１８Ａに示すように、例えば、５月１日（火）にフォーカスが当たっている状態で、左カーソルキー（左方向矢印）を押した場合、４月のカレンダーを表示し、４月３０日（月）（月の最終日）にフォーカスを当てることができる。
【０１２９】
図１８Ｂに示すように、例えば、５月３１日（木）にフォーカスが当たっている状態で、右カーソルキー（右方向矢印）を押した場合、６月のカレンダーを表示し、6月1日（金）（月の初日）にフォーカスを当てることができる。
【０１３０】
図１９Ａに示すように、例えば、５月１７日（木）にフォーカスが当たっている状態で、上ページボタンを押した場合、４月のカレンダーを表示し、４月１７日（火）（５月と同じ日）にフォーカスを当てることができる。
【０１３１】
図１９Ｂに示すように、例えば、５月１７日（木）にフォーカスが当たっている状態で、下ページボタンを押した場合、６月のカレンダーを表示し、６月１７日（日）（５月と同じ日）にフォーカスを当てることができる。
【０１３２】
図２０Ａ，図２０Ｂは、カレンダーの画像内に表示される各種アイコンの名称とその意味を示している。このように、カレンダー内にアイコンを表示することにより、ユーザは、直ぐに当日のイベントを認識することができる。
【０１３３】
アイコンは、図に示されるものに限らず、各種備わってもよい。例えば学校の時間割（教科書）などのマークがアイコンで現れてもよい。またアイコンは、ユーザが任意のものを選択して、設定できるようにしてもよい。この場合、多くの種類のアイコンが予めメモリに格納されており、ユーザが希望のアイコンを選択できる。
【０１３４】
上記のカレンダー内の情報、例えば行動予定等は、編集モードにおいて、編集（修正、追加、移動、削除など）が可能である。
【０１３５】
上記のカレンダーの月表示状態、或いはリスト表示状態から、録画予約、録画履歴、視聴予約、視聴履歴などの情報を活用することができる。
【０１３６】
またカレンダーの月表示状態、或いはリスト表示状態から、視聴履歴、あるいは録画履歴に含まれる番組のプレビュー、又はシーンリストの再生、又はタグの再生などに移行することも可能である。即ち、カレンダーの月表示状態において、希望の日にカーソルを移動させてフォーカスし、例えばリモートコントローラの視聴履歴ボタン或いは録画履歴ボタンを操作することができる。視聴履歴ボタン或いは録画履歴ボタンが操作されると、該当する日に視聴した番組リスト、或いは録画した番組リストを表示することができる。ここで所望の番組名にカーソルを移動させてフォーカスすると、該当する番組のプレビュー表示を得ることができる。
【０１３７】
更に又カレンダーの月表示状態、或いはリスト表示状態から、録画予約、又は視聴予約を確認することができる。
【０１３８】
本装置は、自身のカレンダーの付加情報と他の人のカレンダーの付加情報との合体を行うことができる。付加情報が付加されたカレンダーを情報カレンダー、或いは制御カレンダーと称しても良い。
【０１３９】
本装置は、他の人の録画予約情報及び又は視聴予約情報を、確認したり、自身のカレンダーの付加情報として取り込むことも可能である。他の人の録画予約情報及び又は視聴予約情報は、例えば他の人のカレンダーに付加されている情報である。
【０１４０】
なお他の人の録画予約情報及び又は視聴予約情報は、他の人が管理しているカレンダー或いはデータベース内の録画予約情報及び又は視聴予約情報でもよいし、他の装置で管理されているカレンダー或いはデータベース内の録画予約情報及び又は視聴予約情報でもよい。
【０１４１】
図２１には、録画予約情報、視聴予約情報を自分のカレンダー内の情報として取り込む際の画像の様子を示している。この画像は、例えばカレンダーの所望の日時のリスト表示状態から例えば「他人の予約情報」のボタンをクリックすることで現れる。図の例では、他の人（Blian）の予約内容が表示された例を示している。この領域をカーソルで選択して例えば「次キー」を操作すると、更に別人の予約情報を表示することができる。
【０１４２】
この画像には、領域１１１に番組のタイトル、領域１１２に放送形態（放送種別）が表示される。また領域１１３に放送された日時が表示され、領域１１４には録画予約情報の取り込みを行うか否かを指定するボタン、領域１１５には視聴予約情報の取り込みを行うか否かを指定するボタンが表示される。領域１１６には戻るボタンが表示される。戻るボタンがカーソルで選択され決定ボタンが押されると、直前のリスト表示状態に画像が移行する。領域１１２をカーソルで選択して例えば「次キー」を操作すると、別の番組の予約状況を確認することができる。
【０１４３】
領域１１４、領域１１５は、何れか一方がカーソルにより選択可能となり、選択できない領域は輝度が低い暗い状態となる。図の例において、領域１１４をカーソルにより選択可能であるとする。この場合は、この領域１１４を選択して、決定ボタンを押すことにより、他の人（Blian）が録画予約している番組を、自己のカレンダーのイベントとして取り込むことできる。図の例において、領域１１５をカーソルにより選択可能であるとする。この場合は、この領域１１５を選択して、決定ボタンを押すことにより、他の人（Blian）が視聴予約している番組を、自己のカレンダーのイベントとして取り込むことできる。
【０１４４】
上記した図２１の画像の領域１１４、１１５のボタンは、次の画像に移行するために利用されてもよい。例えば領域１１５がカーソルにより選択され、決定ボタンが押されたとき、図２２の画像に移行して、実際の予約情報の取り込みが行われてもよい。図２２の画像では、領域１２０に「視聴予約として取り込む」と述べたボタンが表示される。図２１において領域１１４がカーソルにより選択され、決定ボタンが押されたときは、図２２の画像では、領域１２０に「録画予約として取り込む」と述べたボタンが表示される。
【０１４５】
さらに図２２の画像では、領域１１７において、視聴先機器の指定を行うことができる。つまり、家庭内にはリビング、台所、寝室などにネットワークにより接続されたＴＶ装置が設置される場合がある。そこで、視聴場所と、視聴時間を指定することが可能である。また図２２の画像では、リビングのＴＶ装置で指定した時間に指定した番組の視聴が開始されることを示している。
【０１４６】
上記の例は、視聴予約のための情報を取り込む場合の画像であるが、本装置は、このような場合に限定されるものではない。視聴予約を行ったときは、視聴場所を指定できるようになっている。
【０１４７】
さらにまた、リマインダーを行うか否かを領域１１８により設定することができる。リマインダーは、例えば、指定番組の再生時間の例えば３分前になると、画像の下側に「番組ＡＡＡの視聴予約が設定されています」と言うようなメッセージが表示される。
【０１４８】
上記した例は、ユーザ自身が利用しているＴＶ装置、家庭内の他のＴＶ装置や録画機器から録画予約、録画履歴、視聴予約、視聴履歴などの情報を、ユーザが使用しているＴＶ装置で活用できることを説明した。しかし、本ＴＶ装置は、クラウドサービスサーバとのコミュニケーションを行うことができる。従って、クラウドサービスサーバにアップロードされ、且つ公開されている録画予約、録画履歴、視聴予約、視聴履歴などの情報を本ＴＶ装置に取り込み活用することも可能である。
【０１４９】
この場合、番組情報は、ユーザが利用できる番組情報へと加工される必要がある。この加工が行われるのは以下の理由によるものであり、即ち、放送番組は地域に応じて、放送チャンネル番号、放送時間帯などが異なる場合があるからである。したがって、他の人のＴＶ装置で作成された録画予約、録画履歴、視聴予約、視聴履歴の番組情報（例えば放送チャンネル番号、放送時間帯等）を加工して使用する必要がある。このような加工のことは、所謂「チャンネル引き当て」と称される。
【０１５０】
上記のチャンネルの引き当てのバリエーションとしては、以下の２通りが可能でありいずれが採用されてもよい。
【０１５１】
（ａ１）他の人の視聴予約、録画予約の情報が表示される前に、チャンネル引き当を行う。そして図２１或いは図２２の画像では、すでに引き当てされた放送局名、時間帯などを表示する。
【０１５２】
（ａ２）図２１或いは図２２の画像では、チャンネル引き当前の他の人の視聴予約、録画予約の情報の表示を行う。そして実際に予約取り込みの操作が成された時点で、チャンネル引き当てを行い、カレンダーに付加する。
【０１５３】
上記したように、本装置は、他人の視聴予約、録画予約などの情報を、自己のカレンダーに関連付けることができる。
【０１５４】
上記したカレンダーへの情報関連付け形態としては、
（ｂ１）ユーザ自身が使用している装置内で、カレンダーを関連付ける形態と、
（ｂ２）ユーザ自身が使用している装置と家庭内の他の装置の間で、カレンダーを関連付ける形態と、
（ｂ３）ユーザ自身が使用している装置とクラウドサービスサーバとの間で、カレンダーを関連付ける形態とがある。
【０１５５】
ここでカレンダーの処理形態の優先順位を考えてみる。カレンダーを関連付ける場合、（ｂ１）に記述した、ユーザ自身が使用している装置内で、カレンダーを関連付ける形態が優先される。装置内で、録画予約、視聴予約、録画予約、視聴履歴の各情報は、家族の個人個人で管理されることができる。又個人個人は、管理している情報を公開、非公開に設定することができる。また家庭のメンバーの全員の公開情報として管理されることもできる。これは、管理部において、録画予約、録画履歴、視聴予約、視聴履歴などのデータが、家族用、個人用のログイン識別子により管理されているからである。ユーザ自身が使用している装置内で、カレンダーを関連付ける場合は、上記したチャンネル引き当てなどの処理が不要である。
【０１５６】
次に優先される形態は、（ｂ２）に記述した、ユーザ自身が使用している装置と家庭内の他の装置の間で、カレンダーを関連付ける形態である。この場合も上記したチャンネル引き当てなどの処理が不要である。
【０１５７】
次が（ｂ３）に記述した、ユーザ自身が使用している装置とクラウドサービスサーバとの間で、カレンダーを関連付ける形態である。この形態は、ユーザが、自分が使用している装置内の視聴予約情報（又は録画予約情報）を誤って削除した場合に有効である。特にその視聴予約情報（又は録画予約情報）が外部の装置から取り込んだものであり、これを誤って削除すると、自分が使用中の装置内では、前記視聴予約情報（又は録画予約情報）を復活することが不可能である。
【０１５８】
このような場合は、クラウドサービスサーバに情報が残っている可能性があり、クラウドサービスサーバから前記視聴予約情報（又は録画予約情報）を取得すると便利である。
【０１５９】
図２３には、視聴予約（或いは録画予約）の取り消しを行う場合の画像の例を示している。この図２３の画像は、先に説明した図１３Ｂの画像から図１３Ｃの画像に遷移した状態を詳しく示している。この画像では、視聴予約している番組に関する詳細情報が表示され、さらに「予約取り消し」ボタンが表示される。視聴予約されている番組の視聴予約を取り消したい場合は、この「予約取り消し」ボタンをカーソルで選択し、決定ボタンを押すことにより、当該番組の視聴予約が取り消される。録画予約に関しても同様な方法で、予約取り消しを行うことができる。
【０１６０】
上記した（ｂ１）、（ｂ２）及び（ｂ３）で説明する形態は、例えば、視聴予約情報（又は録画予約情報）をプレビュー状態から移行することができる。
【０１６１】
例えば、図２４に示すように、「新規」ボタン１２１を選択し、決定ボタンを押すことで関連付け処理の設定画像が現れる。図２４の例は、他の人の公開カレンダーの５月２０において、イベント（録画予約或いは視聴予約）を記述している予約情報の取り込みを実施することになる。この設定画像には、取り込みデータを「録画予約」、「視聴予約」、「行動予定」、「その他」のいずれにするかを設定するボタンがある。
【０１６２】
上下カーソルキーにより、「録画予約」、「視聴予約」、「行動予定」或いは「その他」を指定することができる。
【０１６３】
また何処から予約データを取り込むかを指定するボタンがある。上下カーソルキーにより、「お任せ」、「本装置内」、「接続装置」或いは「サービスサーバ」を指定することができる。視聴予約が設定された状態で、「お任せ」が設定された場合、上記の（ｂ１）・・・「本装置内」、（ｂ２）・・・「接続装置」及び（ｂ３）・・・「サービスサーバ」で説明する形態が順次実施される。「本装置内」からの取り込みが終了すると、「「本装置内」からの取り込みが終了しました、続行しますか？」、「接続装置」からの取り込みが終了すると、「「接続装置」からの取り込みが終了しました、続行しますか？」のようにメッセージが表記される。ユーザは、決定ボタンを操作し、続行を指示することができ、終了ボタンを操作することで、終了を指示することができる。「サービスサーバ」からの取り込みが終了したときは、「予約情報の取り込み作業が終了しました」のメッセージが表記される。
【０１６４】
また、選択した「日」に予約されている全ての人の予約情報を取り込むのか、或いは、指定した人の予約情報を取り込むのかを設定することができる。このために、全てを指定するボタンと、人指定ボタンが用意されている。
【０１６５】
上記したように本装置によると、カレンダーに対して付加情報を付加し、カレンダーを多機能化した情報カレンダーとすることができる。また情報カレンダーをアップグレードすることが可能である。カレンダーに対して付加情報を付加する場合、重複する付加情報が存在した場合、ＴＶ装置を操作中のユーザ自身のカレンダーの付加情報が最優先される。次に優先される付加情報は、ＴＶ装置に保存されている他の人のカレンダーの付加情報である。次の優先される付加情報は、クラウドサービスサーバからの付加情報である。
【０１６６】
なお本装置では、例えばカレンダー全体に対して、ユーザは非公開、公開を設定することができる。したがって、ある人の非公開のカレンダーの予約情報を、別の人が取り込むことはできない。また公開、非公開は、予約情報ごとに設定できるようにしてもよい。さらに公開カレンダーとする場合は、公開範囲を設定するようにしてもよい。
【０１６７】
例えば、図２２に示す画像において、領域１１９には、公開、非公開を設定するボタンが設けられている。公開のボタンをマークすると、本予約情報は、公開となり、非公開のボタンをマークすると本予約情報は、非公開となる。図２４では、今取り込もうとしている予約情報を公開とするか、非公開とするかを選択できるように示している。しかし、別途、カレンダー全体の付加情報を公開とするか非公開とするかを選択できる設定画像、カレンダーの一部の付加情報を公開とするか非公開とするかを選択できる設定画像、付加情報の分類に応じて公開とするか非公開とするかを選択できる設定画像、が用意されることができる。また公開の範囲を設定する設定画像が用意されてもよい。公開の範囲は、例えば、家庭内ＬＡＮに接続されている機器及び装置の範囲、或いは、指定した機器及び装置の範囲で公開できるようにすることもできる。
【０１６８】
公開・非公開に関する制御において、次のルールが設定されている。即ち、家庭の全員で共通に使用する装置であって、共通にログイン可能な共通ドメインの共通データ（録画予約データ、視聴予約データ、カレンダーなど）に関しては、非公開設定は不可能となっている。
【０１６９】
図２５には、上記したカレンダーを処理し、情報カレンダーを生成するブロック構成を取り出して示している。このブロックは、図５、図１２に示したＴＶ装置において、カレンダー処理に関連するブロックを取り出して示している。
【０１７０】
カレンダーは、カレンダー制御部２５１の制御に基づいて処理される。情報カレンダー処理部２５２は、付加情報取得部２５３からの視聴予約情報、録画予約情報を取り込むことができる。情報カレンダー処理部２５２には、ログイン状態にあるユーザのカレンダーがセットされる。付加情報取得部２５３は、自装置内の他のカレンダー、家庭内ＬＡＮで接続された他の装置２５５のカレンダー、クラウドサービスサーバ４１１に保存されているカレンダーを取得することができる。情報カレンダー処理部２５２は、ログ入力状態のユーザのカレンダーと、他のカレンダーの情報とを合体処理（先に説明した録画予約、視聴予約のための情報の取り込み処理）することができる。
【０１７１】
情報カレンダー処理部２５２の情報カレンダーは、情報カレンダー出力部２５６を介して表示器１００で表示されることができる。情報カレンダーに関する表示状態は、先に説明した各種の表示状態がある。
【０１７２】
情報カレンダーの付加情報は、カレンダー制御部２５１により把握されている。したがって、リモートコントローラ２５０Ａ，携帯端末２５０Ｂの操作に基づいて、カレンダー制御部２５１は、先に説明したような表示形態の切換え、スクロール、予約情報の取り込みなどを実行するために動作司令部２５７を制御する。さらに、録画予約、或いは視聴予約の開始時間になると、動作指令部２５７にコマンドを送る。このコマンドに基づいて、動作指令部２５７は、ＴＶ装置の録画、再生などの動作を開始させることができる。またカレンダー制御部２５１は、イベントアイテムがカーソルで選択されて決定ボタンが押されると、該当するイベントアイテムの詳細を表示するための動作を開始させることができる。
【０１７３】
なお録画予約データ、視聴予約データは、付加情報として予約データ格納部１６０に格納されている。予約データ格納部１６０は、さらにカレンダーに関連付けられる各種のデータ（イベント、行動予定等）を格納することができる。ＴＶ装置は、録画予約機能、視聴予約機能を有し、録画予約データ、視聴予約データを生成する。これらは図１２で示したコントローラにより、ユーザ毎に管理され、また家庭単位で管理されている。録画予約は、電子番組案内（ＥＰＧ）データから作成した番組表が利用される。また、視聴予約は、ＨＤＤに記録されている録画番組情報から、過去の録画履歴番組表が作成され、この録画履歴番組表か視聴予約が行われる。予約データ格納部１６０に格納されている予約データを利用して、ログイン状態のユーザの情報カレンダーが情報カレンダー処理器２５２で生成されている。
【０１７４】
上記の説明で「処理器」、「取得器」、「部」などを使用したがこれらは、「手段」、「ブロック」、「モジュール」であっても構わない。
【０１７５】
上記した図２５の主要なブロックは、第１カレンダー（例えばログインしているユーザ自身のカレンダー）に関連付けられる第１付加情報を記憶する記憶部（例えば予約データ格納部）を有する。他の電子機器から、第２カレンダー（例えば家族の一員、或いは友達のカレンダー）に関連付けられる第２付加情報を取得可能な情報取得部（例えば付加情報取得部２５３）を有する。前記第１付加情報と前記第２付加情報とを、前記第１カレンダーに関連付けて出力する出力部（例えば情報カレンダー出力部２５６、情報カレンダー処理部２５２）を有する。また第１カレンダーの第２付加情報に対するユーザの操作に基づいた処理を実行する制御部（カレンダー制御部２５１、動作指令部２５７）を有する。
【０１７６】
図２５は、ブロック構成を示している。しかし、図５、図１２におけるシステムにおいて、図２５のブロック構成の動作を実現させるためのソフトウエア（プログラム）として構築されることができる。さらに前記ソフトウエア（プログラム）を記憶した記録媒体（例えば、半導体メモリ、磁気ディスク、光ディスクなど）がまた本明細書で説明している各種画像の遷移及び変化も表示用のソフトウエアで実現できるものである。また、ユーザによる動作指令方法は、明細書に示した方法に限定されるものではなく、各種の実現方法を採用することができる。
【０１７７】
上記した実施形態の一態様によると、方法としての特徴をも有する。即ち、カレンダー情報処理方法は、カレンダーに関連付けるための付加情報を取得し、前記付加情報をカレンダーに関連付けた情報カレンダーを生成する。前記情報カレンダーを表示するために前記情報カレンダーを出力し、前記情報カレンダーの前記付加情報に基づいた動作を指令する。
【０１７８】
また上記した実施形態の一態様によると、コンピュータを制御するプログラムとしての概念も範疇に含むものである。即ち、カレンダーに関連付けるための付加情報を取得するコマンドと、前記付加情報をカレンダーに関連付けた情報カレンダーを生成するコマンドと、を有する。そして、前記情報カレンダーを表示するために前記情報カレンダーを出力するコマンドと、前記情報カレンダーの前記付加情報に基づいた動作を指令するコマンドを含む。さらにまた、コンピュータを制御する上記プログラムを格納した情報記録媒体も本実施形態の範疇にある。
【０１７９】
図２６は、フィルタリングを設定する場合の画像の例である。上記したように本装置は、多くのイベントの情報を取り込み、又多くのイベントの情報を参照することができる。しかし多くのイベントが存在した場合、その確認に手間がかかる。そこで、本装置では、イベントのフィルタリングを行い、表示順を変更することができる。
【０１８０】
例えばリモートコントローラの赤のキーを操作することにより、図２６の画像には、図２３、図２４に示されている画面から、例えばリモートコントローラの赤のキーを操作することにより、移行することができる。図２６の画像にあるように、イベントアイテムに表示するイベントの対象者（表示対象者）を設定することができる。先の説明（図１３Ａ、図１３Ｂ）では、自分のカレンダーに登録されているイベントが表示されるとして説明した。しかし、本装置では、公開されているカレンダー及び公開されているイベントが存在する場合、表示対象者を設定することにより、公開されているイベントを図１３Ｂの如く表示することができる。
【０１８１】
図２６の例は、左側の領域に、表示対象者を設定するための設定画像が配置される。この例では、自分自身のチェックボックスと、予約予定（視聴予約、録画予約など）を常に表示することを許容している人のチェックボックスに、チェックマークを記述している。その他の表示対象者としては、機器共有ユーザ、行動予定を常時表示することを許容しているユーザなどがある。また図２６の例では、右側の領域に、イベントの種別を設定するための設定画像が配置される。この例では、全てのイベントを表示するに、チェックマークを記述している。そのほか、種別としては、シンクロビューイング、視聴予約、録画予約、行動予定、録画履歴、視聴履歴などがある。
【０１８２】
さらに、図２６の画像の下側の領域には、ソートを行う場合、時刻順、アカウント名昇順、アカウント名降順、種別順の何れかを選択するためのボタンがある。この例であると、時刻順が選択されており、イベントは時刻順に並ぶようにソートされる。決定ボタンが押されると、設定されたフィルタに応じたソートが実行される。これにより、イベントをユーザの好みに応じた順序と項目で表示することができる。
【０１８３】
本装置は、シンクロビューイング(SynchroViewing)機能を有する。シンクロビューイング機能とは、ユーザ（オーナー）が、遠隔地の複数の友人、親戚などと、同じ番組を同時に視聴したいような場合、該ユーザが該複数の友人、親戚などを誘うことができる機能である。
【０１８４】
同時に視聴する番組あるいはコンテンツは、例えばオンエアー番組、録画番組、ビデオオンデマンドなどがある。ただしオンエアー番組は、放送時間帯が複数の友人、親戚の居住地域で同じである必要がある。
【０１８５】
先に説明したように本システムでは、遠隔地の複数の友人、親戚などコミュニケーションを行うことができる。また、図４で示したように、ログイン状態にある友人を確認することもできる。
【０１８６】
図２７は、シンクロビューイングを行う友人を誘う際に利用される画像の一例を示している。この画像は、例えばリモートコントローラのシンクロビューイングキーを操作することにより、表示することができる。或いはイベント詳細画面（例えば図１３、図１４Ｄ、図２３）に、シンクロビューイング設定ボタンを設け、このシンクロビューイング設定ボタンを選択して、決定ボタンを押すことにより図２７の画像を表示することができる。
【０１８７】
図２７に示すように、画像の上部の領域には、「友人を誘う」という画像自身のタイトルが表示される。またオーナーが、参加者とともに同時視聴を希望する「番組」のタイトル、放送種別、放送日時が表示される。
【０１８８】
画像の下の領域には、友人を追加するための「友人追加」ボタン、「お誘い実行」ボタン、「戻る」ボタンが表示される。カーソルで「友人追加」ボタンを選択して決定ボタンを押すと、SynchronViewing Friends の欄に、管理器に登録している最初の友人の顔画像（アイコン或いはアバタでもよい）と、名前が表示される。この状態で、決定ボタンを押すと、顔画像及び名前が残り、参加者として設定される。しかし最初の友人の顔画像と、名前が、表示された状態で、「次キー」を操作すると、次の友人の顔画像と名前が現れる。ここで、決定ボタンを押すと、次の友人の顔画像と名前が残り、参加者として設定される。このように参加者が設定された状態で、カーソルをメッセージの位置にあわせると、メッセージを入力可能となる。このように友人は、管理器に登録されているアカウントリストから選択される。
【０１８９】
図２８は、シンクロビューイングする友人を指定する際の別の実施形態を示している。例えば、図２７の「友人追加」ボタンを選択して決定ボタンを押すと、図２８の画像が現れてもよい。この画像には、予め管理器に登録されている友人の顔画像や氏名が表示される。オーナーは、所望の友人に対応するチェックボックスに、チェック記号を記述することで、シンクロビューイングに参加する友人を指定することができる。次に戻るボタンを操作すると、画像は、図１７の画像に戻り、ここでオーナーはメッセージを入力できる。
【０１９０】
ユーザ（オーナー）はメッセージを入力した後、「お誘い実行」ボタンにカーソルを合わせて、決定ボタンを押すことにより、メッセージが各友人に送信される。お誘いを受けた友人は、受信箱を開き、メッセージを開封し、返信のメッセージを送信することになる。この場合の返信メッセージは、先頭或いは特定の位置に「承認」又は「保留」の返事を含む。「承認」は、シンクロビューイングすることであり、「保留」はシンクロビューイングするかどうかは不明であることを意味する。お誘いを受けた側の友人のＴＶ装置では、シンクロビューイングする番組の視聴予約を自動的に行うか、或いは視聴予約を行うための画像に移行する。このとき、必要に応じて、先に説明した所謂チャンネルの「引き当て」も実行される。
【０１９１】
オーナーのＴＶ装置では、例えば図４で説明した領域１０４の画像で、誘った人全員の顔画像（或いはアイコン）を見ることができる。しかし誘われた側の友人のＴＶ装置では、シンクロビューイングしている人だけの顔画像（或いはアイコン）を見ることができる。
【０１９２】
シンクロビューイング機能は、オーナー側のＴＶ装置で、録画番組やビデオオンデマンドでは例えば早送り、一時停止、逆送りなどが操作された場合、同様に、参加者側のＴＶ装置においても同様な早送り、一時停止、逆送りなどが実行される。これは、シンクロビューイング動作状態においては、クラウドサービスサーバを通じて、オーナー側のＴＶ装置の制御情報が、参加者側のＴＶ装置にも伝達されるからである。
【０１９３】
シンクロビューイング機能が利用される場合、タイムシフト機能が活用される。タイムシフト機能は、複数のチャンネル（例えば設定した６チャンネル）の全番組を例えば、同時録画し、例えば１週間乃至３週間程度、ＨＤＤに録画することができる。ユーザは、ＴＶ装置の操作により、視聴予約データを参照し、所望の番組を選択し、選択した番組の再生を実行させることができる。このタイムシフト機能を利用すると、多くの参加者とともにシンクロビューイングが可能となるし、又シンクロビューイングを実施できる番組が多くなる。
【０１９４】
なおオンエアー放送番組のシンクロビューイングに関しては、オーナーが任意に参加者を選択してもよいし、誘われた友人が、参加を拒否してもよい。オンエアー放送番組は、地域により、時間帯が異なる場合があるからである。
【０１９５】
ＴＶ装置は、図１２で説明したように近距離無線通信機能を有し、携帯端末（たとえばタブレット）との間で通信を行うことができる。
【０１９６】
したがって、カレンダー表示、月表示形態、リスト表示形態は、タブレット画面上で得ることも可能である。タブレットの表示画面は、解像度が高い。このために図２９、図３０、図３１に示すような画像を得ることができる。図２９はタブレットにおける画面で表示された月単位のカレンダー画像の例を示す。図３０はタブレットにおける画面で表示された週単位のカレンダー画像の例を示す。図３１はタブレットにおける画面で表示された日単位のカレンダー画像の例を示す。
【０１９７】
この画像例からも分かるように、ＴＶ装置の表示画面では、月単位のカレンダーには、録画予約、視聴予約、行動予定などのイベントのアイコンが表示されている。しかし、タブレットにおいては、イベント名が表示される。本装置は上記の実施形態に限定されるものではない。
【０１９８】
図３２は、本装置の情報カレンダー処理システムにより得られる画像の他の例を示している。月単位のカレンダーから例えば、５月２０日の領域が選択され、当日の各種イベントが表示された例を示している。ここで、イベントの中にデパートのセールイベントがカーソルで選択され、決定ボタンが押されたとする。すると、デパートのセールの内容が詳しく表示される。このような情報を利用してユーザは、当日５月２０日の行動予定（買い物など）をキャンセルしたり、新たに決めたり、変更したりすることができる。ここでは、スーパー、デパートなどの予定を示しているが、劇場の催し物予定情報、映画館での映画上映予定情報、有名なスターなどの公開情報を取り込むこともできる。
【０１９９】
本装置では、録画予約情報に基づいて録画予約が実行された場合、録画予約情報は録画履歴情報に変換されて保存される。また視聴予約情報は、視聴予約日時に視聴が実際に行われた後は、視聴履歴情報に変換されて保存される。上記した情報処理は、図２５で示した情報カレンダー処理部で実行される。
【０２００】
上記した説明において、請求項の各構成要素において、構成要素を分割して表現した場合、或いは複数を合わせて表現した場合、或いはこれらを組み合わせて表現した場合であっても本発明の範疇である。また請求項を方法として表現した場合であっても本発明の装置を適用したものである。さらにまた、各部の名称はこれに限定されるものではなく、モジュール、ブロック、ユニット、回路、手段、部、装置など各種の置き換えが可能であることは勿論である。
【０２０１】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０２０２】
１００・・・画面、１０１、１０２、１０３、１０４，１０６・・・表示画面、３００・・・ＴＶ装置、２２２・・・電子機器、２３１・・・クラウドアプリケーション部、２３２・・・アプリケーション共通部、２３４・・・ソケット部、２４１・・・統括コントローラ、２４２・・・ビュー制御部、２４３・・・モデル、４１１・・・タイムクラウドサービスサーバ、２５１・・・カレンダー制御部、２５２・・・情報カレンダー処理部２５２、２５３・・・付加情報取得部、２５４・・・自装置、２５５・・・家庭内ＬＡＮ接続装置、２５６・・・情報カレンダー出力部、２５７・・・動作司令部、２６０・・・予約データ格納部。
【図１】
2014053796.tif 000003
【図２】
2014053796.tif 000004
【図３】
2014053796.tif 000005
【図４】
2014053796.tif 000006
【図５】
2014053796.tif 000007
【図６】
2014053796.tif 000008
【図７】
2014053796.tif 000009
【図８】
2014053796.tif 000010
【図９】
2014053796.tif 000011
【図１０】
2014053796.tif 000012
【図１１】
2014053796.tif 000013
【図１２】
2014053796.tif 000014
【図１３Ａ】
2014053796.tif 000015
【図１３Ｂ】
2014053796.tif 000016
【図１３Ｃ】
2014053796.tif 000017
【図１４Ａ】
2014053796.tif 000018
【図１４Ｂ】
2014053796.tif 000019
【図１４Ｃ】
2014053796.tif 000020
【図１４Ｄ】
2014053796.tif 000021
【図１５Ａ】
2014053796.tif 000022
【図１５Ｂ】
2014053796.tif 000023
【図１５Ｃ】
2014053796.tif 000024
【図１５Ｄ】
2014053796.tif 000025
【図１５Ｅ】
2014053796.tif 000026
【図１５Ｆ】
2014053796.tif 000027
【図１６Ａ】
2014053796.tif 000028
【図１６Ｂ】
2014053796.tif 000029
【図１７Ａ】
2014053796.tif 000030
【図１７Ｂ】
2014053796.tif 000031
【図１８Ａ】
2014053796.tif 000032
【図１８Ｂ】
2014053796.tif 000033
【図１９Ａ】
2014053796.tif 000034
【図１９Ｂ】
2014053796.tif 000035
【図２０Ａ】
2014053796.tif 000036
【図２０Ｂ】
2014053796.tif 000037
【図２１】
2014053796.tif 000038
【図２２】
2014053796.tif 000039
【図２３】
2014053796.tif 000040
【図２４】
2014053796.tif 000041
【図２５】
2014053796.tif 000042
【図２６】
2014053796.tif 000043
【図２７】
2014053796.tif 000044
【図２８】
2014053796.tif 000045
【図２９】
2014053796.tif 000046
【図３０】
2014053796.tif 000047
【図３１】
2014053796.tif 000048
【図３２】
2014053796.tif 000049